(57)【要約】容器の分配開口部の周りにハンドリング部を選択的に固定し、かつあるいはハンドリング部を取り除くように構成された外側リング（１０８）、およびハンドリング部内の円形開口（１１１）を画定する内側リング（１１０）を有する、ハンドリング部（１０２）と、円形開口内に摺動可能に配置され、入り込み位置と、あるいは伸長位置との間で選択的に位置決め可能である、中空剛性部材（１０４）と、中空剛性部材に少なくとも部分的に配置され、中空剛性部材に接続される伸長可能な注ぎ口（１０６）であって、ハンドリング部が容器の分配開口部の周りに係合される場合に容器から遠位開口部を通して注入可能な材料を分配するように構成される伸長可能な注ぎ口（１０６）とを含む、容器のための取り外し可能な分配システム（１００）が提供される。また、分配開口部を有する容器と、分配開口部の周りで容器に選択的に接続される取り外し可能な分配システムとを含む、材料容器が提供される。【選択図】図２
2018508433.tif 000002
【特許請求の範囲】
【請求項１】
容器のための取り外し可能な分配システムであって、
前記容器の分配開口部の周りにハンドリング部を選択的に固定し、かつあるいは前記ハンドリング部を取り外すように構成された外側リング、およびハンドリング部内の円形開口を画定する内側リングを備える、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合要素を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部、
遠位端が中空剛性部材から延在し、前記中空剛性部材の中に少なくとも部分的に収縮するように構成される、遠位端および遠位開口部、ならびに
前記近位開口部から前記遠位開口部まで延在する排出通路
を備え、
前記ハンドリング部が前記容器の前記分配開口部の周りに係合される場合に前記容器から前記遠位開口部を通して注入可能な材料を分配するように構成される、伸長可能な注ぎ口と
を備える、分配システム。
【請求項２】
前記第２の係合要素は、前記中空剛性部材が前記伸長位置にある場合に前記ハンドリング部の前記内側リングに係合し、前記中空剛性部材を前記ハンドリング部に固定するために、前記基端に近接する前記中空剛性部材から外方に延在する第１の１つ以上の周辺要素を備える、請求項１に記載のシステム。
【請求項３】
前記第２の係合要素が、前記基端に近接する前記中空剛性部材から外方に延在する第１のフランジと、前記基端に近接する前記中空剛性部材から外方に延在し、前記中空剛性部材の前記基端を第１のフランジと第１の１つ以上のスナップ要素との間で前記ハンドリング部の前記内側リングに係合させ、スナップ締まり嵌めで前記中空剛性部材を前記伸長位置に保持するために前記第１のフランジから内方に間隔を置いて配置される第１の１つ以上のスナップ要素とを備える、請求項１に記載のシステム。
【請求項４】
前記中空剛性部材が、前記ハンドリング部から離れる方向に前記上端を引っ張り、前記中空剛性部材を第１の１つ以上の前記周辺要素に係合するように摺動させることによって前記入り込み位置から前記伸長位置まで選択的に位置決め可能である、請求項２に記載のシステム。
【請求項５】
前記中空剛性部材が、前記ハンドリング部に向かう方向に前記上端に力を加え、前記中空剛性部材を前記第１の１つ以上の周辺要素との係合から外すように摺動させることによって前記伸長位置から入り込み位置まで選択的に位置決め可能である、請求項４に記載のシステム。
【請求項６】
前記第１の係合要素が、前記ハンドリング部の前記内側リングに係合し、前記中空剛性部材が前記入り込み位置にある場合に前記中空剛性部材を前記ハンドリング部に固定するために前記上端に近接する前記中空剛性部材から外方に延在する第２の１つ以上の周辺要素を備える、請求項２に記載のシステム。
【請求項７】
前記第１の係合要素は、前記上端に近接する前記中空剛性部材から外方に延在する第２のフランジと、前記上端に近接する前記中空剛性部材から外方に延在し、前記中空剛性部材の前記上端を前記第２のフランジと第２の１つ以上のスナップ要素との間で前記ハンドリング部の前記内側リングに係合させ、スナップ締まり嵌めで前記中空剛性部材前記を入り込み位置に保持するために前記第２のフランジから内方に間隔を置いて配置される第２の１つ以上のスナップ要素とを備える、請求項３に記載のシステム。
【請求項８】
前記中空剛性部材が、前記上端に近接する前記中空剛性部材から外方に延在し、前記第２のフランジから間隔を置いて配置される第３のフランジをさらに備え、前記第２のフランジが、前記第１のフランジと前記第３のフランジとの間に配置される、請求項７に記載のシステム。
【請求項９】
前記中空剛性部材が、前記ハンドリング部から離れる方向に前記上端を引っ張り、前記ハンドリング部の前記内側リングを前記第２の１つ以上の周辺要素から離脱させ、前記中空剛性部材を前記第１の１つ以上の周辺要素に係合するように摺動させることによって、前記入り込み位置から前記伸長位置まで選択的に位置決め可能である、請求項６に記載のシステム。
【請求項１０】
前記中空剛性部材が、前記ハンドリング部に向かう方向に前記上端に力を加え、前記中空剛性部材を前記第１の１つ以上の周辺要素との係合を外すように摺動させ、前記ハンドリング部の前記内側リングを前記第２の１つ以上の周辺要素に係合させることによって前記伸長位置から前記入り込み位置まで選択的に位置決め可能である、請求項９に記載のシステム。
【請求項１１】
前記第１の１つ以上のスナップ要素が、環状リングを備える、請求項３に記載のシステム。
【請求項１２】
前記第２の１つ以上のスナップ要素が、環状リングを備える、請求項７に記載のシステム。
【請求項１３】
前記中空剛性部材が、内部環状壁と１つ以上の内方に延在する要素とを有し、前記基端の内方におよび前記内部環状壁に対して環状インサートをさらに備え、前記環状インサートが、前記第１のフランジと、前記１つ以上の内方に延在する要素に係合し、前記環状インサートを前記基端に固定するための前記第１のフランジの遠位の凹状チャネルとを備え、前記伸長可能な注ぎ口が、前記環状インサートに接続され、環状インサートから延在する、請求項３に記載のシステム。
【請求項１４】
前記第１の係合要素が、前記ハンドリング部の前記内側リングに係合し、前記中空剛性部材が前記入り込み位置にある場合に前記中空剛性部材を前記ハンドリング部に固定するために前記上端に近接する第２の１つ以上のねじ山を備える、請求項３に記載のシステム。
【請求項１５】
前記第１の係合要素が、前記上端に近接する前記中空剛性部材から外方に延在する第２のフランジをさらに備える、請求項１４に記載のシステム。
【請求項１６】
前記第２の係合要素が、前記ハンドリング部の前記内側リングに係合し、前記中空剛性部材が前記伸張位置にある場合に前記中空剛性部材を前記ハンドリング部に固定するために前記基端に近接する第１の１つ以上のねじ山を備える、請求項１に記載のシステム。
【請求項１７】
前記第２の係合要素が、前記基端に近接する前記中空剛性部材から外方に延在する第１のフランジをさらに備える、請求項１６に記載のシステム。
【請求項１８】
前記中空剛性部材が、内部環状壁と、前記基端に近接する前記内部環状壁内の凹状チャネルとを有し、前記基端の内側におよび前記内部環状壁に対して環状インサートをさらに備え、前記環状インサートが、前記第１のフランジと、前記凹状チャネルに係合し、前記環状インサートを前記基端に固定するために前記第１のフランジに近接する外方に延在する要素とを備え、伸長可能な注ぎ口が、前記中空剛性部材の前記環状インサートに接続され、前記環状インサートから延在する、請求項１７に記載のシステム。
【請求項１９】
前記中空剛性部材が、前記中空剛性部材から離れる方向に前記上端を引っ張り、前記中空剛性部材の前記基端に前記内側リングを螺合させることによって入り込み位置から前記伸長位置まで選択的に位置決め可能である、請求項１７に記載のシステム前記。
【請求項２０】
前記中空剛性部材が、前記ハンドリング部の前記内側リングを前記基端から螺合離脱させ、前記中空剛性に向かう方向に前記上端に力を加えることによって、前記伸長位置から前記入り込み位置まで選択的に位置決め可能である、請求項１９に記載のシステム。
【請求項２１】
前記第１の係合要素が、前記ハンドリング部の前記内側リングに係合し、前記中空剛性部材が前記入り込み位置にある場合に前記中空剛性部材を前記ハンドリング部に固定するために前記上端に近接する第２の１つ以上のねじ山を備える、請求項１７に記載のシステム。
【請求項２２】
前記第１の係合要素が、前記上端に近接する前記中空剛性部材から外方に延在する第２のフランジをさらに備える、請求項２１に記載のシステム。
【請求項２３】
前記中空剛性部材が、前記ハンドリング部の前記内側リングを前記上端から螺合離脱させ、前記上端を前記ハンドル部から離れる方向に引っ張り、前記内側リングを前記中空剛性部材の前記基端に螺合させることによって前記入り込み位置から前記伸長位置まで選択的に位置決め可能である、請求項２１に記載のシステム。
【請求項２４】
前記中空剛性部材が、前記ハンドリング部の前記内側リングを前記基端から螺合離脱させ、前記ハンドリング部に向かう方向に前記上端に力を加え、前記内側リングを前記中空剛性部材の前記上端に螺合させることによって、前記伸長位置から前記入り込み位置まで選択的に位置決め可能である、請求項２３に記載のシステム。
【請求項２５】
前記伸長可能な注ぎ口は、前記伸長可能な注ぎ口が収縮され、前記遠位端が前記中空剛性部材内に少なくとも部分的に配置される収縮した構成、および、あるいは前記伸長可能な注ぎ口が延在され、前記遠位端が前記中空剛性部材の外に延在する伸長構成で選択的に位置決め可能である、請求項１に記載のシステム。
【請求項２６】
前記中空剛性部材の前記基端は、前記中空剛性部材が前記伸長位置にある場合に前記容器の分前記配開口部と実質的に同じ平面にある、請求項１に記載のシステム。
【請求項２７】
前記中空剛性部材の前記基端は、前記中空剛性部材が前記伸長位置にある場合に前記ハンドリング部の前記内側リングと実質的に同じ平面にある、請求項１に記載のシステム。
【請求項２８】
前記中空剛性部材の前記上端を覆う取り外し可能な蓋をさらに備える、請求項１に記載のシステム。
【請求項２９】
前記取り外し可能な蓋が、前記閉位置の前記取り外し可能な蓋と前記中空剛性部材との間にシールを形成するように前記中空剛性部材の前記上端に係合する封止フランジを備える、請求項２８に記載のシステム。
【請求項３０】
材料容器であって、
分配開口部を含む容器と、
前記分配開口部の周りで前記容器に選択的に接続される、取り外し可能な分配システムであり、
前記容器の前記分配開口部の周りにハンドリング部を選択的に固定し、かつあるいは取り外すように構成された外側リング、および前記ハンドリング部内の円形開口を画定する内側リングを有する、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の前記上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合部材を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部、
遠位端が前記中空剛性部材から延在し、前記中空剛性部材の中に少なくとも部分的に収縮される、遠位端および遠位開口部、ならびに
前記近位開口部から前記遠位開口部まで延在する排出通路
を備え、
前記伸長可能な注ぎ口は、前記ハンドリング部が前記容器の前記分配開口部の周りに係合される場合に前記容器から前記遠位開口部を通して注入可能な材料を分配するように構成される、取り外し可能な分配システムと
を備える、材料容器。
【請求項３１】
容器のための分配システムであって、
前記分配システムを前記容器に永久的に取り付けるように前記容器の分配開口部の周りにハンドリング部を固定するように構成された外側リング、および前記ハンドリング部内の円形開口を画定する内側リングを備える、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の前記上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合要素を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部、
遠位端が前記中空剛性部材から延在し、前記中空剛性部材の中に少なくとも部分的に収縮するように構成される、遠位端および遠位開口部、ならびに
前記近位開口部から前記遠位開口部まで延在する排出通路
を備え、
前記ハンドリング部が前記容器の前記分配開口部の周りに係合される場合に前記容器から前記遠位開口部を通して注入可能な材料を分配するように構成される、伸長可能な注ぎ口と
を備える、分配システム。
【請求項３２】
前記第２の係合要素は、前記中空剛性部材が前記伸長位置にある場合に前記ハンドリング部の前記内側リングに係合し、前記中空剛性部材を前記ハンドリング部分に固定するために、前記基端に近接する前記中空剛性部材から外方に延在する第１の１つ以上の周辺要素を備える、請求項３１に記載のシステム。
【請求項３３】
前記中空剛性部材が、前記ハンドリング部から離れる方向に前記上端を引っ張り、前記中空剛性部材を前記第１の１つ以上の周辺要素に係合するように摺動させることによって、前記入り込み位置から前記伸長位置まで選択的に位置決め可能である、請求項３２に記載のシステム。
【請求項３４】
前記中空剛性部材が、前記ハンドリング部に向かう方向に前記上端に力を加え、前記中空剛性部材を前記第１の１つ以上の周辺要素との係合から外すように摺動させることによって前記伸長位置から前記入り込み位置まで選択的に位置決め可能である、請求項３３に記載のシステム。
【請求項３５】
前記第１の係合要素が、前記ハンドリング部の前記内側リングに係合し、前記中空剛性部材が前記入り込み位置にある場合に前記中空剛性部材を前記ハンドリング部に固定するために前記上端に近接する前記中空剛性部材から外方に延在する第２の１つ以上の周辺要素を備える、請求項３２に記載のシステム。
【請求項３６】
前記中空剛性部材が、前記ハンドリング部から離れる方向に前記上端を引っ張り、前記ハンドリング部の前記内側リングを前記第２の１つ以上の周辺要素から離脱させ、前記中空剛性部材を前記第１の１つ以上の周辺要素に係合するように摺動させることによって、前記入り込み位置から前記伸長位置まで選択的に位置決め可能である、請求項３５に記載のシステム。
【請求項３７】
前記中空剛性部材が、前記ハンドリング部に向かう方向に前記上端に力を加え、前記中空剛性部材を前記第１の１つ以上の周辺要素との係合を外すように摺動させ、前記ハンドリング部の前記内側リングを前記第２の１つ以上の周辺要素に係合させることによって前記伸長位置から前記入り込み位置まで選択的に位置決め可能である、請求項３６に記載のシステム。
【請求項３８】
前記第２の係合要素が、前記基端に近接する前記中空剛性部材から外向きに延在する第１のフランジと、前記基端に近接する前記中空剛性部材から外方に延在し、前記中空剛性部材の前記基端を前記ハンドリング部の前記内側リングに係合させ、スナップ締まり嵌めで前記中空剛性部材を前記伸長位置に保持するために前記第１のフランジから内方に間隔を置いて配置される第１の１つ以上のスナップ要素とを備える、請求項３１に記載のシステム。
【請求項３９】
前記内側リングは、前記中空剛性部材が前記伸長位置にある場合に前記第１の１つ以上のスナップ要素に係合する１つ以上の凹状チャネルを備える、請求項３８に記載のシステム。
【請求項４０】
前記第１の１つ以上のスナップ要素が、１つ以上の環状リングを備える、請求項３８に記載のシステム。
【請求項４１】
前記第１の係合要素が、前記上端に近接する前記中空剛性部材から外方に延在する第２のフランジと、前記上端に近接する前記中空剛性部材から外方に延在し、前記中空剛性部材の前記上端を前記ハンドリング部の前記内側リングに係合させ、スナップ締まり嵌めで前記中空剛性部材を前記入り込み位置に保持するために前記第２のフランジから内方に間隔を置いて配置される第２の１つ以上のスナップ要素とを備える、請求項３８に記載のシステム。
【請求項４２】
前記内側リングは、前記中空剛性部材が前記伸長位置にある場合には前記第１の１つ以上のスナップ要素と、および前記中空剛性部材が前記入り込み位置にある場合には前記第２の１つ以上のスナップ要素に係合する１つ以上の凹状チャネルを備える、請求項４１に記載のシステム。
【請求項４３】
前記第１のフランジが、第２のフランジから内方に間隔を置いて配置される、請求項４１に記載のシステム。
【請求項４４】
前記中空剛性部材が、前記上端に近接する前記中空剛性部材から外方に延在し、前記第２のフランジから間隔を置いて配置される第３のフランジをさらに備え、前記第２のフランジが、前記第１のフランジと前記第３のフランジとの間に配置される、請求項４１に記載のシステム。
【請求項４５】
前記第２の１つ以上のスナップ要素が、１つ以上の環状リングを備える、請求項４１に記載のシステム。
【請求項４６】
前記中空剛性部材が、内部環状壁と、前記第１のフランジに近接する１つ以上の内方に延在する要素とを有し、前記基端の内側におよび前記内部環状壁に対して環状インサートをさらに備え、前記環状インサートが、第４のフランジと、前記１つ以上の内方に延在する要素に係合し、前記環状インサートを前記基端に固定するための前記第１のフランジに近接する凹状チャネルとを備え、前記伸長可能な注ぎ口が、前記環状インサートに接続され、前記環状インサートから延在する、請求項３８に記載のシステム。
【請求項４７】
前記環状インサートを前記中空剛性部材に固定するための固定要素をさらに備える、請求項４６に記載のシステム。
【請求項４８】
前記ハンドリング部が、前記ハンドリング部を前記容器に保持するように前記容器の第２の１つ以上の結合要素に係合するための第１の１つ以上の結合要素をさらに備える、請求項３１に記載のシステム。
【請求項４９】
前記外側リングの前記第１の１つ以上の結合要素が、第１の１つ以上の歯と、前記第１の１つ以上の歯に隣接して配置される第１の１つ以上の凹状チャネルとを備え、前記容器の前記第２の１つ以上の結合要素が、第２の１つ以上の歯と、前記第２の１つ以上の歯に隣接して配置される第２の１つ以上の凹状チャネルとを備え、その場合、前記第１の１つ以上の歯が、前記第２の１つ以上の凹状チャネルに係合するように構成され、前記第１の１つ以上の凹状チャネルが、前記第２の１つ以上の歯を受け入れるように構成される、請求項４８に記載のシステム。
【請求項５０】
前記伸長可能な注ぎ口は、前記伸長可能な注ぎ口が収縮され、前記遠位端が前記中空剛性部材内に少なくとも部分的に配置される収縮した構成、および、あるいは前記伸長可能な注ぎ口が延在され、前記遠位端が前記中空剛性部材の外に延在する伸長構成で選択的に位置決め可能である、請求項３１に記載のシステム。
【請求項５１】
前記中空剛性部材の前記上端を覆う取り外し可能な蓋をさらに備える、請求項３１に記載のシステム。
【請求項５２】
前記取り外し可能な蓋が、閉位置の前記取り外し可能な蓋と前記中空剛性部材との間にシールを形成するように前記中空剛性部材の前記上端に係合する封止フランジを備える、請求項５１に記載のシステム。
【請求項５３】
前記中空剛性部材が、内部環状壁を備え、その場合、前記封止フランジが、前記中空剛性部材の前記上端で前記内部環状壁に当接する、請求項５２に記載のシステム。
【請求項５４】
前記伸長可能な注ぎ口の前記遠位端の外面から外方に延在するタブをさらに備える、請求項３１に記載のシステム。
【請求項５５】
材料容器であって、
分配開口部を含む容器と、
前記分配開口部の周りで前記容器に永久的に接続される分配システムであり、
前記容器の前記分配開口部の周りに前記ハンドリング部を固定するように構成された外側リング、および前記ハンドリング部内の円形開口を画定する内側リングを備える、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の前記上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合部材を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部、
遠位端が前記中空剛性部材から延在し、前記中空剛性部材の中に少なくとも部分的に収縮される、遠位端および遠位開口部、ならびに
前記近位開口部から前記遠位開口部まで延在する排出通路
を備え、
前記伸長可能な注ぎ口は、前記ハンドリング部が前記容器の前記分配開口部の周りに係合される場合に前記容器から前記遠位開口部を通して注入可能な材料を分配するように構成される、分配システムと
を備える、材料容器。
【請求項５６】
前記ハンドリング部が、第１の１つ以上の結合要素をさらに備え、前記容器が、第２の１つ以上の結合要素を備え、前記第１の１つ以上の結合要素が、前記ハンドリング部を前記容器に保持するように前記容器の前記第２の１つ以上の結合要素に係合する、請求項５５に記載の材料容器。
【請求項５７】
前記外側リングの前記第１の１つ以上の結合要素が、第１の１つ以上の歯と、前記第１の１つ以上の歯に隣接して配置される第１の１つ以上の凹状チャネルとを備え、前記容器の前記第２の１つ以上の結合要素が、第２の１つ以上の歯と、前記第２の１つ以上の歯に隣接して配置される第２の１つ以上の凹状チャネルとを備え、その場合、前記第１の１つ以上の歯が、前記第２の１つ以上の凹状チャネルに係合するように構成され、前記第１の１つ以上の凹状チャネルが、前記第２の１つ以上の歯を受け入れるように構成される、請求項５６に記載の材料容器。
【発明の詳細な説明】
【技術分野】
【０００１】
関連出願の相互参照
本出願は、参照により本明細書に組み込まれている、２０１５年３月２０日に出願された米国特許出願第１４／６６３，６５４号の利益を主張するものである。
【０００２】
技術分野
本開示は、一般に、分配システムに関し、より詳細には容器のための取り外し可能な分配システムに関する。
【背景技術】
【０００３】
背景
一般的に、容器から流体を移送する場合には、注ぎ口を容器に取り付けるか、または望ましくない漏れを防止するために受け容器に漏斗を挿入することが必要である。この種の移送方法は、一般に、モーターオイル、不凍液、トランスミッション液、およびガソリン添加剤などの流体を自動車に供給するために使用される。この種の流体を移送するために注ぎ口または漏斗などの移送装置を使用する場合の共通の問題は、特にそれらがオイル、冷却液等などのある粘着物質で使用される場合には、それらがしばしば自然に汚染されるということである。結果として、ユーザは、受け容器への移送中に流体が汚染されるのを避けるために、それぞれの使用より前に移送装置を設置し、清浄にし、乾燥させなければならない。また、ユーザは、漏れなしに流体の移送を可能にするように適切なサイズおよび形状の移送装置を選択しなければならない。しかしながら、知られている移送装置の多くは、流体が注がれる容器の口に密接に装着されるのに適応しておらず、したがって、注ぎ口または容器のいずれかが不注意に動かされた場合にこぼれが頻繁にあり、オイルおよび冷却液が地面に漏れている場合には、こぼれや有害な環境影響をきれいに清掃しなければならないためにユーザに不便が生じる。また、知られている移送装置の多くは、流体が環境に露出されることなく容器から受け容器または領域に移送される密閉した流体移送を可能にしない。
【発明の概要】
【発明が解決しようとする課題】
【０００４】
したがって、上述の欠点の一部または全部を改善することができる容器のための取り外し可能な分配システムを提供することが望ましいであろう。特に、容器からの注入可能な材料の効率的で清浄で保護された移送を容易にする取り外し可能な分配システムを提供することが望ましいであろう。
【課題を解決するための手段】
【０００５】
概要
一態様においては、容器のための取り外し可能な分配システムが提供される。一実施形態においては、取り外し可能な分配システムは、容器の分配開口部の周りにハンドリング部を選択的に固定し、かつあるいはそれを取り外すように構成される外側リング、およびハンドリング部内の円形開口を画定する内側リングを有する、ハンドリング部と、上端および基端を含む中空剛性部と、中空剛性部材に少なくとも部分的に配置され、それに接続される伸長可能な注ぎ口であって、ハンドリング部が容器の分配開口部の周りに係合される場合に容器から遠位開口部を通して注入可能な材料を分配するように構成される、伸長可能な注ぎ口とを含む。中空剛性部材は、円形開口内に摺動可能に配置され、上端がハンドリング部に近接し、基端がハンドリング部から離れるように容器に向かって延在する入り込み位置と、あるいは基端がハンドリング部に近接し、上端がハンドリング部および容器から離れるように延在する伸長位置との間で選択的に位置決め可能である。中空剛性部材の上端は、ハンドリング部の内側リングの少なくとも一部に係合し、中空剛性部材が入り込み位置にある場合に中空剛性部材の上端がハンドリング部を通して容器の中に移動することを防ぐための第１の係合要素を含む。中空剛性部材の基端は、ハンドリング部の内側リングの少なくとも一部に係合し、中空剛性部材が伸長位置にある場合に中空剛性部材をハンドリング部に固定するための第２の係合要素を含む。伸長可能な注ぎ口は、近位端および近位開口部、遠位端および遠位開口部、ならびに近位開口部から遠位開口部まで延在する排出通路を含み、その場合、近位端は、中空剛性部材に接続され、遠位端は、中空剛性部材から延在し、かつその中に少なくとも部分的に収縮するように構成される。
【０００６】
別の態様においては、容器のための分配システムが提供される。１つの実施形態においては、分配システムは、分配システムを容器に永久的に取り付けるように容器の分配開口部の周りにハンドリング部を固定するように構成された外側リング、およびハンドリング部内の円形開口を画定する内側リングを有する、ハンドリング部と、上端および基端を含む中空剛性部材と、中空剛性部材に少なくとも部分的に配置され、それに接続される伸長可能な注ぎ口であって、ハンドリング部が容器の分配開口部の周りに係合される場合に容器から遠位開口部を通して注入可能な材料を分配するように構成される、伸長可能な注ぎ口と、を含む。中空剛性部材は、円形開口内に摺動可能に配置され、上端がハンドリング部に近接し、基端がハンドリング部から離れるように容器に向かって延在する入り込み位置と、あるいは基端がハンドリング部に近接し、上端がハンドリング部および容器から離れるように延在する伸長位置との間で選択的に位置決め可能である。中空剛性部材の上端は、ハンドリング部の内側リングの少なくとも一部に係合し、中空剛性部材が入り込み位置にある場合に中空剛性部材の上端がハンドリング部を通して容器の中に移動することを防ぐための第１の係合要素を含む。中空剛性部材の基端は、ハンドリング部の内側リングの少なくとも一部に係合し、中空剛性部材が伸長位置にある場合に中空剛性部材をハンドリング部に固定するための第２の係合要素を含む。伸長可能な注ぎ口は、近位端および近位開口部、遠位端および遠位開口部、ならびに近位開口部から遠位開口部まで延在する排出通路を含み、その場合、近位端は、中空剛性部材に接続され、遠位端は、中空剛性部材から延在し、かつその中に少なくとも部分的に収縮するように構成される。
【０００７】
さらに別の態様においては、材料容器が提供される。一実施形態においては、材料容器は、上述のように、分配開口部を有する容器と、分配開口部の周りに容器に選択的に接続される取り外し可能な分配システムとを含む。別の実施形態においては、材料容器は、上述のように、分配開口部を有する容器と、分配開口部の周りで容器に永久的に接続される分配システムとを含む。
【０００８】
図面の簡単な説明
詳細な説明は、添付の図面を参照して記述される。同じ参照数字の使用は、類似または同一の品目を示すことができる。さまざまな実施形態は、図面に図示されたもの以外の要素および／または構成要素を利用することができ、いくつかの要素および／または構成要素は、さまざまな実施形態に存在しない場合もある。図面の要素および／または構成要素は、必ずしも縮尺通りに描かれているとは限らない。
【図面の簡単な説明】
【０００９】
【図１】本開示の一実施形態による、中空剛性部材を入り込み位置にし、伸長可能な注ぎ口を収縮した構成にし、蓋を閉位置にした取り外し可能な分配システムの側面図である。
【図２】図１の取り外し可能な分配システムの２−２による断面図である。
【図３】本開示の一実施形態による、中空剛性部材を入り込み位置にし、蓋を開位置にした図１の取り外し可能な分配システムの側面図である。
【図４】図３の取り外し可能な分配システムの４−４による断面図である。
【図５】本開示の一実施形態による、中空剛性部材を伸長位置にした図１の取り外し可能な分配システムの側面図である。
【図６】図５の取り外し可能な分配システムの６−６による断面図である。
【図７】伸長可能な注ぎ口を伸長構成にした、図５の取り外し可能な分配システムの側面図である。
【図８】本開示の他の実施形態による、中空剛性部材を入り込み位置にし、伸長可能な注ぎ口を収縮した構成にし、および蓋を閉位置にした取り外し可能な分配システムの側面図である。
【図９】図８の取り外し可能な分配システムの９−９による断面図である。
【図１０】本開示の一実施形態による、中空剛性部材を入り込み位置にし、蓋を開位置にした図８の取り外し可能な分配システムの側面図である。
【図１１】図１０の取り外し可能な分配システムの１１−１１による断面図である。
【図１２】本開示の一実施形態による、中空剛性部材を伸長位置にした図８の取り外し可能な分配システムの側面図である。
【図１３】図１２の取り外し可能な分配システムの１３−１３による断面図である。
【図１４】伸長可能な注ぎ口を伸長構成にした、図１２の取り外し可能な分配システムの側面図である。
【図１５】図３の取り外し可能な分配システムが本開示の一実施形態による容器に係合される、材料容器の部分側面図である。
【図１６】図１５の材料容器の１６−１６による断面図である。
【図１７】図５の取り外し可能な分配システムが本開示の一実施形態による容器に係合される、図１５の材料容器の部分側面図である。
【図１８】図１７の材料容器の１８−１８による断面図である。
【図１９】伸長可能な注ぎ口が伸長構成にある、図１７の材料容器の断面図である。
【図２０】図１０の取り外し可能な分配システムが本開示の一実施形態による容器に係合される、材料容器の部分側面図である。
【図２１】図２０の材料容器の２１−２１による断面図である。
【図２２】図１２の取り外し可能な分配システムが本開示の一実施形態による容器に係合される、図２０の材料容器の部分側面図である。
【図２３】図２２の材料容器の２３−２３による断面図である。
【図２４】伸長可能な注ぎ口が伸長構成にある、図２２の材料容器の断面図である。
【図２５】本開示の一実施形態による、中空剛性部材を入り込み位置にし、伸長可能な注ぎ口を収縮した構成にし、蓋を閉位置にした分配システムの側面図である。
【図２６】図２５の分配システムの２６−２６による断面図である。
【図２７】本開示の一実施形態による、中空剛性部材を入り込み位置にし、蓋を開位置にした図２５の分配システムの側面図である。
【図２８】図２７の分配システムの２８−２８による断面図である。
【図２９】本開示の一実施形態による、中空剛性部材を伸張位置にした図２５の分配システムの側面図である。
【図３０】図２９の分配システムの３０−３０による断面図である。
【図３１】伸長可能な注ぎ口を伸長構成にした、図２９の分配システムの側面図である。
【図３２】図３１の分配システムの３２−３２による断面図である。
【図３３】固定要素を備える、図３０に示される分配システムの他の実施形態の断面図である。
【図３４】図２５の分配システムのハンドリング部の斜視図である。
【図３５】図２５の分配システムのハンドリング部の底面図である。
【図３６】図２７の分配システムが本開示の一実施形態による容器に係合される、材料容器の部分側面図である。
【図３７】図３６の材料容器の３７−３７による断面図である。
【図３８】図２９の分配システムが本開示の一実施形態による容器に係合される、図３６の材料容器の部分側面図である。
【図３９】図３８の材料容器の３９−３９による断面図である。
【図４０】図３１の取り外し可能な分配システムが本開示の一実施形態による容器に係合される、図３６の材料容器の部分側面図である。
【図４１】図４０の材料容器の４１−４１による断面図である。
【図４２】図３６の材料容器の容器の部分斜視図である。
【発明を実施するための形態】
【００１０】
詳細な説明
本発明は、例示のみを目的としてさまざまな実施形態と関連して詳細に説明される。実施形態の異なるステップ、構成要素、および特徴のパラメータは、別々に説明されるが、他の実施形態も当業者によって理解されることを可能にするように、特許請求の記載と矛盾なく組み合わせられ得る。本明細書において使用されるさまざまな用語は、以下の説明において同様に定義される。
【００１１】
値または範囲は、本明細書において、「約」１つの特定の値から、および／または「約」別の特定の値まで「約」として表され得る。このような値または範囲が表される場合、開示された他の実施形態は、１つの特定の値から、および／または他の特定の値まで列挙される特定の値を含む。同様に、値が近似値として表される場合、先行する「約」の使用によって、特定の値は別の実施形態を構成することが理解されよう。さらに、その中に多数の開示された値があり、その各々の値はまた、その値自体に加えて「約」その特定の値として本明細書において開示されることが理解されよう。
【００１２】
ハンドリング部、中空剛性部材、および伸長可能な注ぎ口を一般に含む、容器のための取り外し可能な分配システムが開発されている。本明細書において説明される取り外し可能な分配システムの特徴は、各々の使用の間ではなくて、所望の場合に容器から取り外し可能な分配システムの容易かつ選択的な取り付けおよび取り外しを有益に可能にすると同時に、従来の移送装置および方法によってほかに容易にアクセスできない受け容器または領域に容器の内容物を効率的に分配する能力を提供する。さらに、本明細書において説明される取り外し可能な分配システムの特徴はまた、移送中にこの種の材料を環境に露出させることなく、容器から受け容器または領域に注入可能な材料を指向的に移送する能力を有益に提供する。
【００１３】
取り外し可能な分配システム
実施形態において、本明細書において説明される取り外し可能な分配システムは、外側リングおよび内側リングを有するハンドリング部を含む。内側リングは、ハンドリング部内に円形開口を画定する。外側リングは、容器の分配開口部の周りにハンドリング部を選択的に固定し、あるいはそれを取り外すように構成される。すなわち、外側リングは、ハンドリング部を容器に接続する。外側リング構成は、ハンドリング部にしたがってシステムが、望ましくは、永久的に取り付けられるのではなくて、容器に取り付けられかつそれから取り外される得ることが有利である。結果として、本明細書において説明されるシステムは、同じ容器または他の容器で繰り返し使用されることができ、それによって、容器はシステムを介した注入可能な材料の各分配の後にその最初の蓋および／またはシールで再封止されるようになっており、あるいは、容器は廃棄され得る。この特徴は、各分配の間の容器内の注入可能な材料の汚染および漏れを最小限にする。外側リング構成はまた、注入可能な材料の望ましくない漏れが、回避されない場合は使用中に最小限にされるように、および容器の注入可能な材料がそれから分配される場合に環境に露出されるのを防止するように、システムを容器に有益に固定する。
【００１４】
本明細書において使用されるように、「分配開口部」は、その中に内容物へのアクセスを提供する容器の開口部である。いくつかの実施形態においては、分配開口部は、取り外し可能な分配システムを容器に接続する前に、その後に取り外される最初の蓋および／またはシールで覆われるかまたは閉じられる。他の実施形態においては、分配開口部は、たとえば、容器本体に穿刺または切断を行うことを介して、ユーザによって形成され得る。さらに他の実施形態においては、分配開口部は、製造中に容器と共に予め包装され、容器の分配開口部の周りに接続される、本明細書において説明される取り外し可能な分配システムで覆われるかまたは封止され得る。
【００１５】
いくつかの実施形態においては、ハンドリング部は、熱可塑性材料で作られる。適切な熱可塑性材料の非限定的な実施例には、ポリプロピレン、ポリエチレン、等がある。一実施形態においては、ハンドリング部は、少なくとも部分的に生物分解性であるポリマー材料で作られる。
【００１６】
いくつかの実施形態においては、ハンドリング部は、射出成形によって形成される。
【００１７】
実施形態においては、本明細書において説明される取り外し可能な分配システムはまた、上端および基端を含む中空剛性部材を含む。中空剛性部材は、円形開口内に摺動可能に配置され、入り込み位置と伸長位置との間で選択的に位置決め可能である。中空剛性部材のこれらの特徴は、それぞれの使用後にシステムを容器から取り外さなければならないことを有益に防ぎ、さらに、容器の内容物を潜在的な汚染または漏れにさらすことを回避する。さらに、入り込み位置により、従来の分配システム（たとえば、漏斗、注ぎ口、等）の使用によってほかには不可能であった本明細書において説明されるシステムに係合した場合に、容器が同様の全体的なサイズおよび形状を保持できるようになっていることが有利である。さらに、伸長位置により、システムは、この種のシステムなしで容器から別様に分配されていたはずである容器内に材料を閉じ込めることなく、容器の注入可能な材料を全てではないにしてもほぼ全て分配できるようになっている。
【００１８】
本明細書において使用されるように、「摺動可能に配置される」とは、中空剛性部材が、入り込み位置または伸長位置にある場合にハンドリング部に固定されない限り、円形開口を通して自由に動かせることを意味する。
【００１９】
本明細書において使用されるように、中空剛性部材を説明するのに使用される場合の「選択的に位置決め可能」とは、たとえばユーザによって入り込み位置から伸長位置まで、かつその逆もまた同じで所望の時に移動され、位置決めされ得ることを意味する。
【００２０】
いくつかの実施形態においては、中空剛性部材は、熱可塑性材料で作られる。適切な熱可塑性材料の非限定的な実施例には、ポリプロピレン、ポリエチレン、等がある。一実施形態においては、中空剛性部材は、少なくとも部分的に生物分解性であるポリマー材料で作られる。
【００２１】
いくつかの実施形態においては、中空剛性部材は射出成形によって形成される。
【００２２】
中空剛性部材は、たとえば、図１、図３、図８、図１０、図１５、および図２０に示されるように、上端がハンドリング部に近接し、基端がハンドリング部から離れるように容器の方に延在する場合は入り込み位置にある。上端は、ハンドリング部の内側リングの少なくとも一部に係合し、中空剛性部材が入り込み位置にある場合に中空剛性部材の上端がハンドリング部を通して容器の中に移動することを防ぐための第１の係合要素を含む。すなわち、いったん中空剛性部材が第１の係合要素を介して内側リングに係合されると、中空剛性部材は、入り込み位置で安定化され、その結果、システムから分離できず、容器の中に完全に出現することができない。動作時に、中空剛性部材が入り込み位置にある場合、中空剛性部材の少なくとも一部は、容器内に配置され得る。したがって、少なくとも頂部と端部との間に延在する部分に沿った中空剛性部材の直径は、容器の分配開口部の直径よりも小さい。
【００２３】
たとえば、図５、図７、図１２、図１４、図１７、図１９、図２２、および図２４に示されるように、中空剛性部材は、基端がハンドリング部に近接し、上端がハンドリング部および容器から離れるように延在する場合に、伸長位置にある。基端は、中空剛性部材が伸長位置にある場合に、ハンドリング部の内側リングの少なくとも一部に係合し、中空剛性部材をハンドリング部に固定するための第２係合要素を含む。すなわち、いったん中空剛性部材が第２の係合要素を介して内側リングに係合すると、中空剛性部材は、伸長位置で安定化され、したがって、容器の中にまたはさらに容器を離れて後戻りするように円形開口を通して移動できない。
【００２４】
中空剛性部材が伸長位置にある場合の動作時に、中空剛性部材の基端は、いくつかの実施形態においては、容器の分配開口部と実質的に同じ平面にあり得るが、他の実施形態においては、基端は、ハンドリング部の内側リングと実質的に同じ平面にあり得る。本明細書において使用されるように、取り外し可能な分配システムの別の構成要素に対する中空剛性部材の基端の位置を説明するのに使用される場合、「同じ平面」という用語は、この種の構成要素に直接隣接するか、またはそれに直接当接することを意味する。一実施形態においては、中空剛性部材が伸長位置にある場合、中空剛性部材は、容器内に部分的に配置され得る。たとえば、一実施形態においては、中空剛性部材の基端の少なくとも一部は、注入可能な材料の充填ラインの上の容器内に部分的に配置され得る。
【００２５】
いくつかの実施形態においては、第２の係合要素は、中空剛性部材が伸長位置にある場合ハンドリング部の内側リングに係合し、中空剛性部材をハンドリング部に固定するために、基端に近接する中空剛性部材から外方に延在する第１の１つ以上の周辺要素を含む。
【００２６】
第２の係合要素が第１の１つ以上の周辺要素を含むいくつかの実施形態においては、中空剛性部材は、ハンドリング部から離れる方向に中空剛性部材の上端を引っ張り、中空剛性部材を第１の１つ以上の周辺要素に係合するように摺動させることによって、入り込み位置から伸長位置まで選択的に位置決め可能である。これらの実施形態においては、中空剛性部材はまた、ハンドリング部に向かう方向に上端に力を加え、中空剛性部材を第１の１つ以上の周辺要素との係合から外すように摺動させることによって伸長位置から入り込み位置まで選択的に位置決め可能であり得る。
【００２７】
いくつかの実施形態においては、第１の係合要素は、ハンドリング部の内側リングに係合し、中空剛性部材が入り込み位置にある場合に中空剛性部材をハンドリング部に固定するために上端に近接する中空剛性部材から外方に延在する第２の１つ以上の周辺要素を含む。一実施形態においては、第１の係合要素は、第２の１つ以上の周辺要素を含み、第２係合要素は、第１の１つ以上の周辺要素を含む。
【００２８】
第１の係合要素が第２の１つ以上の周辺要素を含むいくつかの実施形態においては、中空剛性部材は、ハンドリング部から離れる方向に上端を引っ張り、ハンドリング部の内側リングを第２の１つ以上の周辺要素から離脱させ、中空剛性部材を第１の１つ以上の周辺要素に係合するように摺動させることによって、入り込み位置から伸長位置まで選択的に位置決め可能である。これらの実施形態においては、中空剛性部材はまた、中空剛性部材が、ハンドリング部に向かう方向に上端に力を加え、中空剛性部材を第１の１つ以上の周辺要素との係合を外すように摺動させ、ハンドリング部の内側リングを第２の１つ以上の周辺要素に係合させることによって伸長位置から入り込み位置まで選択的に位置決め可能であり得る。
【００２９】
いくつかの実施形態においては、第２の係合要素は、基端に近接する中空剛性部材から外方に延在する第１のフランジと、基端に近接する中空剛性部材から外方に延在し、中空剛性部材の基端を第１のフランジと第１の１つ以上のスナップ要素との間でハンドリング部の内側リングに係合させ、スナップ締まり嵌めで中空剛性部材を伸長位置に保持するために第１のフランジから内方に間隔を置いて配置される第１の１つ以上のスナップ要素とを含む。すなわち、動作時に、基端は、内側リングが第１の１つ以上のスナップ要素の上を摺動し、内側リングを第１のフランジと第１の１つ以上のスナップ要素との間で休止させる第１のフランジと相互に作用するように、中空剛性部材を内側リングを通して摺動させることによって内側リングに係合する。一実施形態においては、第１の１つ以上のスナップ要素は、環状リングを含む。
【００３０】
本明細書において使用されるように、「スナップ締まり嵌め」は、少なくとも１つ以上のスナップ要素の結果として中空剛性部材を内側リングに固定的に連結することを意味する。
【００３１】
第２の係合要素が第１のフランジおよび第１の１つ以上のスナップ要素を含む実施形態においては、第１係合要素は、いくつかの実施形態においては、ハンドリング部の内側リングに係合し、中空剛性部材が入り込み位置にある場合に中空剛性部材をハンドリング部に固定するために上端に近接する第２の１つ以上のねじ山を含む。特定の実施形態においては、第１の係合要素はまた、上端に近接する中空剛性部材から外方に延在する第２のフランジを含む。
【００３２】
第２の係合要素が第１のフランジおよび第１の１つ以上のスナップ要素を含み、第１の係合要素が第２の１つ以上のねじ山を含む実施形態においては、中空剛性部材は、ハンドリング部の内側リングを上端から螺合離脱させ、ハンドリング部から離れる方向に上端を引っ張り、中空剛性部材を第２の係合要素に係合するように摺動させることによって、入り込み位置から伸長位置まで選択的に位置決め可能であり得る。中空剛性部材はまた、ハンドリング部に向かう方向に上端に力を加え、中空剛性部材を第２の係合要素との係合から外すように摺動させ、内側リングを中空剛性部材の上端に螺合させることによって伸長位置から入り込み位置まで選択的に位置決め可能であり得る。
【００３３】
いくつかの実施形態においては、第１の係合要素は、上端に近接する中空剛性部材から外方に延在する第２のフランジと、上端に近接する中空剛性部材から外方に延在し、中空剛性部材の上端を第２のフランジと第２の１つ以上のスナップ要素との間でハンドリング部の内側リングに係合させ、スナップ締まり嵌めで中空剛性部材を入り込み位置に保持するために第２のフランジから内方に間隔を置いて配置される第２の１つ以上のスナップ要素とを含む。すなわち、動作時に、中空剛性部材の上端は、内側リングが第２の１つ以上のスナップ要素の上を摺動し、内側リングを第２のフランジと第２の１つ以上のスナップ要素との間で休止させる第２のフランジと相互に作用するように、中空剛性部材を内側リングを通して摺動させることによって内側リングに係合する。一実施形態においては、第１の１つ以上のスナップ要素は、環状リングを含む。第１の係合が第２のフランジおよび第２の１つ以上のスナップ要素を含む別の実施形態においては、第２の係合要素は、第１のフランジおよび第１の１つ以上のスナップ要素を含む。
【００３４】
第１の係合要素が第２のフランジおよび第２の１つ以上のスナップ要素を含むいくつかの実施形態においては、中空剛性部材は、上端に近接する中空剛性部材から外方に延在し、第２フランジから間隔を置いて配置される第３フランジを含み、その場合、第２のフランジは、第１のフランジと第３のフランジとの間に位置決めされる。動作時に、第３のフランジは、取り外し可能な蓋と中空剛性部材との間にシールを提供するように使用され得る。
【００３５】
第２の係合要素が第１のフランジと第１の１つ以上のスナップ要素とを含むいくつかの実施形態においては、中空剛性部材は、内部環状壁と、基端に近接する１つ以上の内方に延在する要素とを有し、さらに基端の内部におよび内部環状壁に対して環状インサートを含む。１つの実施形態においては、伸長可能な注ぎ口が環状インサートに接続され、環状インサートから延在する、環状インサートは、第１のフランジと、１つ以上の内方に延在する要素に係合し、環状インサートを基端に固定するために第１のフランジの遠位の凹状チャネルとを含む。別の実施形態においては、伸長可能な注ぎ口が環状インサートに接続され、環状インサートから延在する、環状インサートは、第１のフランジと、第１のフランジに近接して、１つ以上の内方に延在する要素に係合し、環状インサートを基端に固定するために第１のフランジに近接する凹状チャネルとを含む。１つ以上の内方に延在する要素と凹状チャネルとの間のこの相互作用は、中空剛性部材の環状インサートのその基端への確実な、およびある場合には永久的な接続を提供する。
【００３６】
他の実施形態においては、第２の係合要素は、ハンドリング部の内側リングに係合し、中空剛性部材が伸張位置にある場合に中空剛性部材をハンドリング部に固定するために基端に近接する第１の１つ以上のねじ山を含む。すなわち、動作時に、基端は、内側リングが第１の１つ以上のねじ山と適合し、第１の１つ以上のねじ山と互いに噛み合うようにその後操作される、たとえば捻られるように、中空剛性部材を内側リングを通して摺動させることによって内側リングに係合される。１つの実施形態においては、第２の係合要素は、基端に近接する中空剛性部材から外方に延在する第１のフランジをさらに含む。
【００３７】
第２の係合要素が第１の１つ以上のネジ山を含むいくつかの実施形態においては、中空剛性部材は、中空剛性部材から離れる方向に上端を引っ張り、中空剛性部材の基端に内側リングを螺合させることによって入り込み位置から伸長位置まで選択的に位置決め可能である。さらなる実施形態おいては、中空剛性部材はまた、ハンドリング部の内側リングを基端から螺合離脱させ、中空剛性に向かう方向に上端に力を加えることによって、伸長位置から入り込み位置まで選択的に位置決め可能であり得る。
【００３８】
第２の係合要素が第１の１つ以上のねじ山を含むいくつかの実施形態においては、中空剛性部材は、内部環状壁と、基端に近接する内部環状壁内の凹状チャネルとを有し、基端の内部におよび内部環状壁に対して環状インサートをさらに含む。一実施形態においては、伸長可能な注ぎ口が環状インサートに接続され、環状インサートから延在する、環状インサートは、第１のフランジと、凹状チャネルに係合し、環状インサートを基端に固定するために第１のフランジに近接する外方に延在する要素とを含む。凹状チャネルと外方に延在する要素との間のこの相互作用は、中空剛性部材の環状インサートのその基端への確実な、ある場合には永久的な接続を有益に提供する。
【００３９】
いくつかの実施形態においては、第１の係合要素は、ハンドリング部の内側リングに係合し、中空剛性部材が入り込み位置にある場合に中空剛性部材をハンドリング部に固定するために上端に近接する第２の１つ以上のねじ山を含む。すなわち、動作時に、上端は、内側リングが第２の１つ以上のねじ山と適合し、第２の１つ以上のねじ山と互いに噛み合うようにその後操作される、たとえば捻られるように、中空剛性部材を内側リングを通して摺動させることによって内側リングに係合される。一実施形態においては、第１の係合要素は、上端に近接する中空剛性部材から外方に延在する第２のフランジをさらに含む。第１の係合要素が第２の１つ以上のねじ山を含む別の実施形態においては、第２の係合要素は、第１の１つ以上のねじ山を含む。
【００４０】
第１の係合要素が第２の１つ以上のねじ山を含むいくつかの実施形態においては、中空剛性部材は、ハンドリング部の内側リングを上端から螺合離脱させ、上端をハンドル部から離れる方向に引っ張り、内側リングを中空剛性部材の基端に螺合させることによって入り込み位置から伸長位置まで選択的に位置決め可能である。さらなる実施形態においては、中空剛性部材は、ハンドリング部の内側リングを基端から螺合離脱させ、ハンドリング部に向かう方向に上端に力を加え、内側リングを中空剛性部材の上端に係合させることによって、伸長位置から入り込み位置まで選択的に位置決め可能である。
【００４１】
いくつかの実施形態においては、内側リングは、内面および外面を有し、その場合、内面は、第１および第２の１つ以上のねじ山に対応する第３の１つ以上のねじ山を含み、それによって、内側リングの第３の１つ以上のねじ山は、中空剛性部材が伸長位置にある場合は第１の１つ以上のねじ山と、および中空剛性部材が入り込み位置にある場合は第２の１つ以上のねじ山と螺合し互いに噛み合う。
【００４２】
実施形態においては、本明細書において説明される取り外し可能な分配システムはまた、中空剛性部材内に少なくとも部分的に配置され、接続された伸長可能な注ぎ口を含む。伸長可能な注ぎ口は、近位端および近位開口部、遠位端部および遠位開口部、および排出通路を含む。近位端は中空剛性部材に接続され、遠位端は中空剛性部材から伸長し、中空剛性部材の内部に少なくとも部分的に引っ込むように構成され、排出通路は近位開口から遠位開口まで延在する。伸長可能な注ぎ口は、ハンドリング部が容器の分配開口部の周りに係合される場合に注入可能な材料を容器から遠位開口部を通して分配するように構成され、それによって、注入可能な材料が、たとえば、受け容器または容器自体のサイズまたは形状が原因でほかに可能でない領域または受け容器に分配できるようになる。伸長可能な注ぎ口はまた、指向性の移送を提供するように構成され、注入可能な材料が環境に露出されことなく容器から領域または受け入れ容器に移送され得るようになる。
【００４３】
いくつかの実施形態においては、伸長可能な注ぎ口は、熱可塑性材料、紙材料など、またはそれらの組み合わせで作られる。適切な熱可塑性材料の非限定的な実施例には、ポリプロピレン、ポリエチレン、等がある。一実施形態においては、紙材料は、プラスチック層またはワックス層のいずれかで被覆される。一実施形態においては、伸長可能な注ぎ口は、少なくとも部分的に生物分解性であるポリマー材料から作製される。
【００４４】
いくつかの実施形態においては、伸長可能な注ぎ口は、押出成形によって形成される。
【００４５】
実施形態においては、伸長可能な注ぎ口の近位端は、中空剛性部材に接続される。この接続により、伸長可能な注ぎ口が特に作動時に中空剛性部材を離脱させるのを防ぐように、伸長可能な注ぎ口が固定される。
【００４６】
いくつかの実施形態においては、伸長可能な注ぎ口の近位端は、中空剛性部材に直接接続される。すなわち、近位端は、基端に近接する中空剛性部材の内部環状壁または環状インサートに固定される。一実施形態においては、近位端は、接着方法を使用して中空剛性部材に接続される。適切な接着方法の非限定的な実施例には、接着剤の接着、音波溶接などがある。
【００４７】
他の実施形態においては、伸長可能な注ぎ口の近位端は、中空剛性部材に間接的に接続される。すなわち、近位端は、別の構成要素または複数の構成要素に固定され、その構成要素または複数の構成要素は、基端に近接する中空剛性部材の内面に少なくとも部分的に固定される。
【００４８】
いくつかの実施形態においては、伸長可能な注ぎ口は波形部分を含む。別の実施形態においては、伸長可能な部分は可撓性である。さらに別の実施形態においては、伸長可能な注ぎ口は、波形部分を含み、可撓性である。
【００４９】
いくつかの実施形態おいては、波形部分および伸長可能な注ぎ口は、同じ材料で作られる。他の実施形態においては、波形部分および伸長可能な注ぎ口は、異なる材料で作られる。波形部分が作られ得る適切な材料の非限定的な実施例には、熱可塑性材料、紙材料、等がある。一実施形態においては、紙材料は、プラスチック層またはワックス層のいずれかで被覆される。一実施形態においては、波形部分は、少なくとも部分的に生物分解性であるポリマー材料から作られる。
【００５０】
いくつかの実施形態においては、波形部分は、伸長可能な注ぎ口と同じ方法で形成され得る。別の実施形態においては、波状部分は、伸長可能な注ぎ口とは異なる様式で形成されてもよい。一実施形態においては、波形部分は、押出成形によって形成される。
【００５１】
いくつかの実施形態においては、伸長可能な注ぎ口は、伸長可能な注ぎ口が収縮され、遠位端が中空剛性部材内に少なくとも部分的に配置される収縮した構成に、およびあるいは、伸長可能な注ぎ口が延在され、遠位端が中空剛性部材の外に延在する伸長構成に選択的に配置可能である。すなわち、伸張可能な注ぎ口の長さは、使用前、使用中、または使用後に変化されることができ、したがって、１つの特定の長さに固定され得ない。この特徴により、システムを容器から分離しなくても材料を容器からさまざまな目的地に分配する能力のある取り外し可能な分配システムが有益に提供される。
【００５２】
一実施形態においては、ユーザは、所望に応じて１つの伸張長さから第２の伸長長さまで調整するように、手の指または工具を伸長可能な注ぎ口の遠位端に挿入することができる。
【００５３】
本明細書において使用されるように、伸長可能な注ぎ口を説明するのに使用される場合の「選択的に位置決め可能な」とは、たとえばユーザによって収縮した構成から伸長構成に、およびその逆もまた同じで所望の時に配置され得ることを意味する。
【００５４】
動作時に、伸長可能な注ぎ口は、完全に伸長した構成または部分的に伸長した構成に選択的に位置決めされ得る。一実施形態においては、伸長可能な注ぎ口は、完全に伸長した構成の場合は、約３インチ〜約４０インチの長さを有する。一実施形態においては、伸長可能な注ぎ口は、完全に伸長した構成の場合は、約５インチ以下の長さを有する。別の実施形態においては、伸長可能な注ぎ口は、完全に伸長した構成の場合は、約４０インチ以下の長さを有する。さらに別の実施形態においては、伸長可能な注ぎ口は、完全に伸長した構成の場合は、約８インチ〜約２１インチの長さを有する。別の実施形態においては、伸長可能な注ぎ口は、完全に伸長した構成では、約８インチ〜約３０インチの長さを有する。他の実施形態においては、伸長可能な注ぎ口は、完全に伸長した構成の場合は、約８インチ〜約４０インチの長さを有する。
【００５５】
動作時に、伸長可能な注ぎ口は、完全に収縮した構成または部分的に収縮した構成に選択的に位置決めされ得る。いくつかの実施形態においては、伸長可能な注ぎ口は、完全に収縮した構成の場合は、中空剛性部材の長さとほぼ等しいかまたはそれより短い長さを有する。
【００５６】
いくつかの実施形態においては、延長可能な注ぎ口は、中空剛性部材の長さに関して４：１の比率で伸長するように構成される。たとえば、中空剛性部材の１インチ毎に、伸長可能な注ぎ口は、４インチまで完全に伸長することができる。
【００５７】
いくつかの実施形態においては、伸長可能な注ぎ口の遠位端の内面は、伸長可能な注ぎ口を中空剛性部材から伸長構成に延在する際にユーザを助けるための溝またはディンプルを含む。別の実施形態においては、リップまたは隆起部は、伸長可能な注ぎ口の遠位端の内面または外面の少なくとも１つに設置される。リップまたは隆起部は、同様に、伸長可能な注ぎ口を中空剛性部材から延在する際にユーザを助けるように構成され得る。
【００５８】
いくつかの実施形態においては、取り外し可能な分配システムは、伸長可能な注ぎ口の遠位開口部を覆う取り外し可能な安全シールを含む。一実施形態においては、取り外し可能な安全シールは、伸長可能な注ぎ口の遠位開口部に接続される。別の実施形態においては、取り外し可能な安全シールは、伸長可能な注ぎ口の遠位端の内面に接続される。さらに別の実施形態においては、取り外し可能な安全シールは、遠位端の外面に接続され得る。特定の実施形態においては、取り外し可能な安全シールは、取り付けのために遠位開口部または遠位端の内面のいずれかにヒートシールされる。
【００５９】
いくつかの実施形態においては、取り外し可能な分配システムは、伸長可能な注ぎ口の近位端を覆う取り外し可能な安全シールを含む。一実施形態においては、取り外し可能な安全シールは、伸長可能な注ぎ口の近位開口部に接続される。別の実施形態においては、取り外し可能な安全シールは、伸長可能な注ぎ口の近位端の内面に接続される。さらに別の実施形態においては、取り外し可能な安全シールは、近位端の外面に接続され得る。特定の実施形態においては、取り外し可能な安全シールは、取り付けのために近位開口部または近位端の内面のいずれかにヒートシールされる。
【００６０】
別の実施形態においては、取り外し可能な安全シールは、たとえば、伸長可能な注ぎ口が中空剛性部材に完全ではないとしても実質的に収縮した場合の上端、または基端に近接する中空剛性部材に接続される。
【００６１】
いくつかの実施形態においては、取り外し可能な分配システムは、２つ以上の取り外し可能な安全シールを含む。たとえば、一実施形態においては、伸長可能な注ぎ口の遠位開口部は、第１の取り外し可能な安全シールで覆われ、伸長可能な注ぎ口の内面は、第２の取り外し可能な安全シールで覆われる。
【００６２】
いくつかの実施形態においては、取り外し可能な安全シールは、プラスチック層が排出通路の方向に面するプラスチック層で被覆された金属箔を含む。適切な金属箔の非限定的な実施例には、アルミニウム、白金、等がある。
【００６３】
いくつかの実施形態においては、取り外し可能な安全シールは、除去のために穿刺され得る。別の実施形態においては、取り外し可能な安全シールは、ユーザが取り外し可能な安全シールを伸長可能な注ぎ口または中空剛性部材のいずれかから剥離運動で取り外すことができるようになるプルタブを含むことができる。
【００６４】
いくつかの実施形態においては、取り外し可能な分配システムは、中空剛性部材が入り込み位置にある場合に中空剛性部材の上端を覆う取り外し可能な蓋を含む。一実施形態においては、取り外し可能な蓋は、中空剛性部材に蝶番式に接続される。別の実施形態においては、取り外し可能な蓋は、ユーザが蓋を取り外して伸長可能な注ぎ口にアクセスできるように、蓋から延在するタブを含む。さらに別の実施形態においては、取り外し可能な蓋は、締結要素（たとえば、クランプまたはスナップ）または摩擦嵌合によってハンドリング部に着脱自在に接続される。別の実施形態においては、取り外し可能な蓋は、ハンドリング部分の外周に配置された外側の１つ以上のねじ山に係合するように構成された内側の１つ以上のねじ山を含む。
【００６５】
１つの実施形態においては、取り外し可能な蓋は、閉位置にある場合に蓋と中空剛性部材との間にシールを形成するために、中空剛性部材の上端に係合する封止フランジを含む。１つの実施形態においては、封止フランジは、蓋が閉位置にある場合は中空剛性部材の外壁に対して嵌合することによって、中空剛性部材の上端に係合する。別の実施形態においては、封止フランジは、中空剛性部材の上端の頂上に互いに近づき合うことによって中空剛性部材の上端に係合し、その場合、互いに近づき合うと、封止フランジの少なくとも一部が外向きに曲がるかまたは湾曲する。
【００６６】
実施形態においては、取り外し可能な蓋は、例えば図１および図８に示すように、蓋が中空剛性部材の上端を覆う場合に閉位置にある。実施形態においては、取り外し可能な蓋は、蓋が取り外し可能な分配システムから完全にまたは少なくとも部分的に取り外される場合には開位置にあり、それによってたとえば図３、図５、図１０、および図１２に示されるように、蓋が取られ中空剛性部材の少なくとも一部が露出される。
【００６７】
いくつかの実施形態においては、注入可能な材料は流体である。実施形態においては、流体は、液体、または液体と気体との組み合わせである。適切な流体の非限定的な例には、モーターオイルなどがある。他の実施形態においては、注入可能材料は、流動性固体である。好適な流動性固体の非限定的な実施例には、砂、小石などがある。さらに他の実施形態においては、注入可能な材料は、流体と流動可能な固体との組み合わせである。
【００６８】
ここで図面を参照すると、いくつかの図面を通して同様の番号は同様の要素を指しているが、図１〜図７および図８〜図１４は、２つの異なる例示的な取り外し可能な分配システムを示している。
【００６９】
図１〜図７は、さまざまな構成の取り外し可能な分配システム１００の例示的な実施形態を示している。システム１００は、一般に、ハンドリング部１０２と、中空剛性部材１０４と、伸長可能な注ぎ口１０６とを含む。ハンドリング部１０２は、外側リング１０８と、外側リング１０８から内方に間隔を置いて配置され、円形開口１１１を画定する内側リング１１０とを含む。円形開口１１１内に摺動可能に配置される中空剛性部材１０４は、上端１１２と、基端１１４と、内部環状壁１１６と、基端１１４の内側に、および内側環状壁１１６に対する環状インサート１１８と、基端１１４に近接する１つ以上の内方に延在する要素１１７とを含む。環状インサート１１８は、第１のフランジ１３６、および凹状チャネル１１９を含み、その場合、凹状チャネル１１９は、環状インサート１１８を基端１１４に固定するように１つ以上の内方に延在する要素１１７に係合する。この特定の実施形態においては、凹状チャネル１１９は、第１のフランジ１３６に対して遠位にある。いくつかの実施形態においては、中空剛性部材１０４はまた、上端１１２から外方に延在する第３のフランジ１２０を含むことができる。伸長可能な注ぎ口１０６は、中空剛性部材１０４に少なくとも部分的に配置され、中空剛性部材１０４の環状インサート１１８にしっかりと接続される。
【００７０】
図１〜図２においては、取り外し可能な分配システム１００が、閉位置にある取り外し可能な蓋１２２と共に示されている。取り外し可能な蓋１２２は、ハンドリング部１０２に蝶番式に取り付けられ、中空剛性部材１０４の上端１１２を覆う。取り外し可能な蓋１２２はまた、封止フランジ１２４を含む。図１〜図２においては、封止フランジ１２４は、閉位置にある場合に取り外し可能な蓋１２２と中空剛性部材１０４の上端１１２との間に密封嵌合を提供するように第３のフランジ１２０に係合する。
【００７１】
図１〜図４においては、取り外し可能な分配システム１００は、入り込み位置に示されている。すなわち、中空剛性部材１０４の上端１１２は、ハンドリング部１０２に近接しており、基端１１４は、ハンドリング部１０２から離れるように延在する。上端１１２は、上端１１２から外方に延在し、内側リング１１０の少なくとも一部に係合する第１の係合要素１２６を含み、それにより、中空剛性部材１０４は、中空剛性部材１０４がハンドリング部１０２から離脱し、分離すること、たとえば分配開口部の周りに係合した場合にハンドリング部を通して容器内に移動することを防ぐようにハンドリング部１０２に固定される。
【００７２】
第１の係合要素１２６は、第２のフランジ１２８と、対応する第２の１つ以上のスナップ要素１３０とを含み、それらの両方は、上端１１２に近接する中端剛性部材１０４から外方に延在する。第２の１つ以上のスナップ要素１３０は、環状リング１３２を含む。第２のフランジ１２８は、中空剛性部材１０４の上端１１２が、第２のフランジ１２８と第２の１つ以上のスナップ要素１３０との間でハンドリング部分１０２の内側リング１１０に係合するように、第２の１つ以上のスナップ要素１３０よりも中空剛性部材１０４からさらに外方に延在する。このタイプの係合は、有利なことに、所望の時間の間、スナップ締まり嵌めで中空剛性部材１０４を入り込み位置に保持する。
【００７３】
図３〜７においては、取り外し可能な分配システム１００は、取り外し可能な蓋１１６を開位置にして示されており、それによって中空剛性部材１０４の上端１１２が露出される。いったん取り外し可能な蓋１１６が開位置になると、中空剛性部材１０４は、図３〜図４に示される入り込み位置から、たとえば図５〜図７に示されように伸長位置に位置決めされ得る。この実施形態においては、中空剛性部材１０４は、中空剛性部材１０４の上端１１２にハンドリング部１０２から離れるように引張力を加えることによって、入り込み位置から伸長位置まで選択的に位置決めされることができ、それにより上端１１２を第１の係合要素１１８から離脱させ、中空剛性部材１０４を摺動させて基端１１４に係合する。
【００７４】
図５〜図７においては、取り外し可能な分配システム１００は、伸長位置に示されている。すなわち、中空剛性部材１０４の基端１１４は、ハンドリング部１０２に近接している。基端１１４は、中空剛性部材１０４がハンドリング部１０２に固定されるように、内側リング１１０の少なくとも一部に係合する第２の係合要素１３４を含む。
【００７５】
第２の係合要素１３４は、中空剛性部材１０４の環状インサート１１８の一部である第１のフランジ１３６と、対応する第１の１つ以上のスナップ要素１３８とを含み、それらの両方は、基端１１４に近接する中空剛性部材１０４から外方に延在する。第１の１つ以上のスナップ要素１３８は、環状リング１４０を含む。第１の１つ以上のスナップ要素１３８はまた、第１のフランジ１３６と第１の１つ以上のスナップ要素１３８との間でハンドリング部１０２の内側リング１１０と中空剛性部材１０４の基端１１４を係合させるために、第１のフランジ１３６から内方に間隔を置いて配置される。このタイプの係合は、有利なことに、所望の時間の間、スナップ締まり嵌めで中空剛性部材１０４を伸長位置に保持する。
【００７６】
伸長位置においては、中空剛性部材１０４は、図１７〜図１９に示されるように、ハンドリング部１０２の内側リング１１０と実質的に同じ平面にあるように構成される。すなわち、中空剛性部材の伸長位置により、中空剛性部材を、容器の内部からすなわち少なくとも注入可能な材料の充填ラインより上に実質的に取り外すことができるようになり、それによって、容器の内容物の全てではないにしてもほぼ全てがそれから分配されようになっている。ハンドリング部が容器の分配開口部の周りに係合され続ける間に容器の内部から中空剛性部材を実質的に取り外す能力は、その分配中に容器の注入可能な材料の望ましくない閉じ込みを有益に回避する。
【００７７】
ここで図７を参照すると、伸長可能な注ぎ口１０６は、中空剛性部材１０４から完全に延在されているものとして示されている。中空剛性部材１０４から部分的にまたは完全に延在される場合、伸長可能な注ぎ口１０６は、次いで、伸長可能な注ぎ口１０６が、たとえば配置、容器のサイズ、および／または容器の内容物に起因してほかにはアクセスできないはずの受け領域に対するアクセスを、およびしたがって内容物を分配する能力を提供するようにたとえば曲げられる方法で追加的に操作され得る。
【００７８】
図８〜１４は、さまざまな構成の取り外し可能な分配システム２００の例示的な実施形態を示している。システム２００は、一般に、ハンドリング部２０２と、中空剛性部材２０４と、伸長可能な注ぎ口２０６とを含む。ハンドリング部２０２は、外側リング２０８と、外側リング２０８から内方に間隔を置いて配置され、円形開口２１１を画定する内側リング２１０とを含む。円形開口２１１内に摺動自在に配置された中空剛性部材２０４は、上端２１２と、基端２１４と、内部環状壁２１６と、内部環状壁２１６内の凹状チャネル２４６と、基端２１４の内側の、および内部環状壁２１６に対する環状インサート２１８と含む。環状インサート２１８は、第１のフランジ２３６と、環状インサート２１８を基端２１４に固定するように凹状チャネル２４６に係合する第１のフランジ２３６に近接する外方に延在する要素２４８とを含む。いくつかの実施形態においては、中空剛性部材２０４は、上端２１２から外方に延在する第３のフランジ２２０を含むことができる。伸長可能な注ぎ口２０６は、少なくとも部分的に中空剛性部材２０４に配置され、中空剛性部材２０４の環状インサート２１８にしっかりと接続される。
【００７９】
図８〜図９においは、取り外し可能な分配システム２００は、閉位置にある取り外し可能な蓋２２２と共に示されている。取り外し可能な蓋２２２は、ハンドリング部２０２に蝶番式に取り付けられ、中空剛性部材２０４の上端２１２を覆う。取り外し可能な蓋２２２は、いくつかの実施形態においては、封止フランジ２２４を含む。図８〜図９において、封止フランジ２２４は、閉位置にある場合に取り外し可能な蓋２２２と中空剛性部材２０４の上端２１２との間に密封嵌合を提供するように第３のフランジ２２０に係合する。
【００８０】
図８〜１１においては、取り外し可能な分配システム２００は、入り込み位置に示されている。すなわち、中空剛性部材２０４の上端２１２は、ハンドリング部２０２に近接し、基端２１４は、ハンドリング部２０２から離れるように延在する。上端２１２は、上端２１２から外方に延在し、内側リング２１０の少なくとも一部に係合する第１の係合要素２２６を含み、それによって、中空剛性部材２０４は、中空剛性部材がハンドリング部２０２から離脱し分離することを、たとえば分配開口部の周りに係合した場合にハンドリング部を通して容器の中に移動することを防ぐように、ハンドリング部２０２に固定される。
【００８１】
第１の係合要素２２６は、ハンドリング部２０２の内側リング２１０に係合し、中空剛性部材２０４が入り込み位置にある場合に中空剛性部材２０４をハンドリング部２０２に固定するために上端２１２に近接する第２の１つ以上のねじ山２４２を含む。第１の係合要素はまた、上端２１２に近接する中空剛性部材２０４から外方に延在する第２のフランジ２２８を含む。このタイプの係合は、有利なことに、所望の時間の間、ねじ締まり嵌めで中空剛性部材２０４を入り込み位置に保持する。
【００８２】
図１０〜図１４においては、取り外し可能な分配システム２００は、取り外し可能な蓋２２２を開位置にして示されており、それによって中空剛性部材２０４の上端２１２は露出されている。いったん取り外し可能な蓋２２２が開位置になると、中空剛性部材１０４は、図１０〜図１１に示される入り込み位置から、たとえば図１２〜図１４に示されように伸長位置に位置決めされ得る。  この実施形態においては、中空剛性部材２０４は、ハンドリング部２０２の内側リング２１０を上端２１２から螺合離脱させ、上端２１２をハンドル部２０２から離れる方向に引っ張り、内側リング２１０を中空剛性部材２０４の基端２１４に螺合させることによって入り込み位置から伸長位置まで選択的に位置決め可能である。
【００８３】
図１２〜１４においては、取り外し可能な分配システム２００は、伸長位置に示されている。すなわち、中空剛性部材２０４の基端２１４は、ハンドリング部２０２に近接している。基端２１４は、中空剛性部材２０４がハンドリング部２０２に固定されるように、内側リング２１０の少なくとも一部に係合する第２の係合要素２３４を含む。
【００８４】
第２の係合要素２３４は、ハンドリング部２０２の内側リング２１０に係合し、中空剛性部材２０４が伸長位置にある場合に中空剛性部材２０４をハンドリング部２０２に固定するために、基端２１４に近接する第１の１つ以上のねじ山２２４を含む。第２の係合要素２３４はまた、上端２１２に近接する中空剛性部材２０４から外方に延在する第１のフランジ２３６を含む。このタイプの係合は、有利なことに、ねじ締まり嵌めで所望の時間の間、中空剛性部材２０４を伸長位置に保持する。伸長位置においては、中空剛性部材２０４は、図２２〜図２４に示されように、容器内に少なくとも部分的に配置されたままであり得る。
【００８５】
ここで図２４を参照すると、伸長可能な注ぎ口２０６は、中空剛性部材２０４から完全に延在しているものとして示されている。中空剛性部材２０４から部分的にまたは完全に延在される場合、伸長可能な注ぎ口２０６は、次いで、伸長可能な注ぎ口２０６が、たとえば位置、容器のサイズ、および／または容器の内容物に起因してほかにはアクセスできないはずの受け領域に対するアクセスを、およびしたがって内容物を分配する能力を提供するようにたとえば曲げられる方法で追加的に操作され得る。
【００８６】
いくつかの実施形態においては、分配システムは、いったん容器の分配開口部の周りに接続されると、システムが容器に永久的に取り付けられるように構成され得る。この種の分配システムの一実施例が、図２５〜図３２に示されており、その場合、同じ番号は、いくつかの図面を通して同じ要素を指す。
【００８７】
この種の実施形態おいては、本明細書において説明される分配システムは、外側リングと内側リングとを有するハンドリング部を含む。内側リングは、ハンドリング部内に円形開口を画定する。外側リングは、分配システムを容器に永久的に取り付けるように、容器の分配開口部の周りにハンドリング部を固定するように構成される。結果として、これらの分配システムは、いったん容器に接続されると、誤って取り外されることなく同じ容器で繰り返し使用されることができ、それによって、使用中または使用後のシステムの不注意な損失または廃棄を有益に最小限に抑えることができる。また、システムと容器との間のこの永久的な接続は、容器から所望の領域への材料の分配中および分配の間に注入可能な材料の環境曝露をさらに減少させる。さらに、永久的な接続は、容器の開封明示機能としても役立つ。
【００８８】
これらの分配システムのいくつかの実施形態においては、ハンドリング部は、ハンドリング部を容器に保持するように容器の第２の１つ以上の結合要素に係合するための第１の１つ以上の結合要素をさらに含む。動作時に、いったん第１の１つ以上の結合要素が容器の第２の１つ以上の結合要素に係合すると、分配システムは、容器に永久的に取り付けられる。
【００８９】
１つの実施形態においては、第１の１つ以上の結合要素は、１つ以上の歯を含み、第２の１つ以上の結合要素は、１つ以上の凹状チャネルを含み、その場合、１つ以上の歯は、１つ以上の凹状チャネルに係合するように構成される。
【００９０】
別の実施形態においては、第１の１つ以上の結合要素は、第１の１つ以上の歯と、第１の１つ以上の歯に隣接して配置される第１の１つ以上の凹状チャネルとを含む。この種の実施形態においては、容器の第２の１つ以上の結合要素は、第２の１つ以上の歯と、第２の１つ以上の歯に隣接して配置される第２の１つ以上の凹状チャネルとを備え、その場合、第１の１つ以上の歯は、第２の１つ以上の凹状チャネルに係合するように構成され、第１の１つ以上の凹状チャネルは、第２の１つ以上の歯を受け入れるように構成される。
【００９１】
他の実施形態においては、ハンドリング部は、いったん接着されると、分配システムが容器に永久的に取り付けられるように分配開口部の周りで容器に接着される。たとえば、ハンドリング部は、分配開口部の周りで圧着、化学接着剤、音波溶接、等を介して接着され得る。
【００９２】
いくつかの実施形態においては、ハンドリング部は、熱可塑性材料で作られ得る。適切な熱可塑性材料の非限定的な実施例には、ポリプロピレン、ポリエチレン、等がある。一実施形態においては、ハンドリング部は、少なくとも部分的に生物分解性であるポリマー材料で作られる。
【００９３】
いくつかの実施形態においては、ハンドリング部は、射出成形によって形成され得る。
【００９４】
実施形態においては、取り外し可能な分配システムはまた、上端および基端を含む中空剛性部材を含む。中空剛性部材は、円形開口内に摺動可能に配置され、内側リングによって画定され、入り込み位置と伸長位置との間で選択的に位置決め可能である。中空剛性部材のこれらの特徴は、システムをそこから取り外さなくても、各々の使用後に容器を閉鎖または封止する能力を有益に提供し、容器の内容物の潜在的な汚染または漏れを最小限にする。さらに、入り込み位置により、従来の分配システム（たとえば、漏斗、注ぎ口、等）の使用によってほかには不可能であった本明細書において説明されるシステムに係合した場合に、容器が同様の全体的なサイズおよび形状を保持できるようになっていることが有利である。さらに、伸長位置により、システムは、この種のシステムなしで容器から別様に分配されていたはずである容器内に材料を閉じ込めることなく、容器の注入可能な材料を全てではないにしてもほぼ全て分配できるようになっている。
【００９５】
特定の実施形態においては、中空剛性部材は、モノリシック構造である。
【００９６】
他の実施形態においては、中空剛性部材は、互いに噛み合いまたは接合される２つ以上の別個の部材または部分を含むことができる。１つの実施形態においては、第１の接合要素、たとえば突出部材を有する中空剛性部材の第１の部分は、全部の中空剛性部材を形成するように、第２の接合要素、たとえば凹状チャネルを有する中空剛性部材の第２の部分と接合される。別の実施形態においては、第１の部分は、接着剤、溶接、等を介して第２の部分に接合され得る。さらに別の実施形態においては、第１の部分は、第１および第２の接合要素と組み合わせて、接着剤、溶接、等を介して第２の部分に接続される。
【００９７】
いくつかの実施形態においては、中空剛性部材は、熱可塑性材料で作られ得る。適切な熱可塑性材料の非限定的な実施例には、ポリプロピレン、ポリエチレン、等がある。一実施形態においては、中空剛性部材は、少なくとも部分的に生物分解性であるポリマー材料で作られる。
【００９８】
いくつかの実施形態おいては、中空剛性部材は、射出成形によって形成され得る。
【００９９】
中空剛性部材は、たとえば図２５、図２７、および図３６に示されように、上端がハンドリング部に近接し、基端がハンドリング部から離れるようにかつ容器の方に延在する場合には、入り込み位置にある。上端は、ハンドリング部の内側リングの少なくとも一部に係合し、中空剛性部材が入り込み位置にある場合に中空剛性部材の上端がハンドリング部を通して容器の中に移動することを防ぐための第１の係合要素を含む。すなわち、いったん中空剛性部材が第１の係合要素を介して内側リングに係合されると、中空剛性部材は、入り込み位置で安定化され、その結果、システムから分離できず、容器の中に完全に出現することができない。動作時に、中空剛性部材が入り込み位置にある場合、中空剛性部材の少なくとも一部は、容器内に配置され得る。したがって、少なくとも頂部と端部との間に延在する部分に沿った中空剛性部材の直径は、容器の分配開口部の直径よりも小さい。
【０１００】
たとえば、図２９、図３１、図３８、および図４０に示されるように、中空剛性部材は、基端がハンドリング部に近接し、上端がハンドリング部および容器から離れるように延在する場合には、伸長位置にある。基端は、中空剛性部材が伸長位置にある場合に、ハンドリング部の内側リングの少なくとも一部に係合し、中空剛性部材をハンドリング部に固定するための第２係合要素を含む。すなわち、いったん中空剛性部材が第２の係合要素を介して内側リングに係合すると、中空剛性部材は、伸長位置で安定化され、したがって、容器の中にまたはさらに容器を離れて後戻りするように円形開口を通して移動できない。
【０１０１】
中空剛性部材が伸長位置にある場合の動作においては、中空剛性部材の基端は、いくつかの実施形態においては、容器内に部分的に配置され得る。たとえば、１つの実施形態においては、中空剛性部材の基端の少なくとも一部は、注入可能な材料の充填ラインの上の容器内に部分的に配置され得る。
【０１０２】
いくつかの実施形態においては、第２の係合要素は、中空剛性部材が伸長位置にある場合ハンドリング部分の内側リングに係合し、中空剛性部材をハンドリング部に固定するために、基端に近接する中空剛性部材から外方に延在する第１の１つ以上の周辺要素を含む。
【０１０３】
第２の係合要素が第１の１つ以上の周辺要素を含む実施形態においては、中空剛性部材は、ハンドリング部から離れる方向に中空剛性部材の上端を引っ張り、中空剛性部材を第１の１つ以上の周辺要素に係合するように摺動させることによって、入り込み位置から伸長位置まで選択的に位置決め可能であり得る。これらの実施形態においては、中空剛性部材はまた、ハンドリング部に向かう方向に上端に力を加え、中空剛性部材を第１の１つ以上の周辺要素との係合から外すように摺動させることによって伸長位置から入り込み位置まで選択的に位置決め可能であり得る。
【０１０４】
いくつかの実施形態においては、第１の係合要素は、中空剛性部材が入り込み位置にある場合にハンドリング部の内側リングに係合し、中空剛性部材をハンドリング部に固定するために上端に近接する中空剛性部材から外方に延在する第２の１つ以上の周辺要素を含む。第１の係合要素が第２の１つ以上の周辺要素を含む一実施形態においては、第２の係合要素は、第１の１つ以上の周辺要素を含む。
【０１０５】
第１の係合要素が第２の１つ以上の周辺要素を含む実施形態においては、中空剛性部材は、ハンドリング部から離れる方向に上端を引っ張り、ハンドリング部の内側リングを第２の１つ以上の周辺要素から離脱させ、中空剛性部材を第１の１つ以上の周辺要素に係合するように摺動させることによって、入り込み位置から伸長位置まで選択的に位置決め可能であり得る。これらの実施形態においては、中空剛性部材はまた、中空剛性部材が、ハンドリング部に向かう方向に上端に力を加え、中空剛性部材を第１の１つ以上の周辺要素との係合を外すように摺動させ、ハンドリング部の内側リングを第２の１つ以上の周辺要素に係合させることによって伸長位置から入り込み位置まで選択的に位置決め可能であり得る。
【０１０６】
いくつかの実施形態においては、第２の係合要素は、基端に近接する中空剛性部材から外方に延在する第１のフランジと、基端に近接する中空剛性部材から外方に延在し、中空剛性部材の基端をハンドリング部の内側リングに係合させ、スナップ締まり嵌めで中空剛性部材を伸長位置に保持するための第１のフランジから内方に間隔を置いて配置される第１の１つ以上のスナップ要素とを含む。この種の実施形態においては、第１の１つ以上のスナップ要素は、１つ以上の環状リングを含むことができる。
【０１０７】
第２の係合要素が第１のフランジおよび第１の１つ以上のスナップ要素を含む実施形態においては、内側リングは、中空剛性部材が伸長位置にある場合に第１の１つ以上のスナップ要素に係合する１つ以上の凹状チャネルを含むことができる。すなわち、動作時に、内側リングは、内側リングが第１の１つ以上のスナップ要素の上を摺動し、第１のフランジと相互作用するように、中空剛性部材を内側リングを通して摺動させることによって第１の１つ以上のスナップ要素に係合し、その場合、第１の１つ以上のスナップ要素は、基端がハンドリング部に選択的に自然に固定されるように１つ以上の凹状チャネルに係合する。一実施形態においては、内側リングは、第１の１つ以上のスナップ要素の一部の上を摺動することができ、その場合、第１の１つ以上のスナップ要素のすべてが、１つ以上の凹状チャネルのすべてに係合するとは限らない。別の実施形態においては、１つ以上の凹状チャネルの数は、第１の１つ以上のスナップ要素の数よりも大きく、その結果、１つ以上の凹状チャネルのうちの１つ以上は係合されないことになる。さらに別の実施形態においては、第１の１つ以上のスナップ要素の数は、１つ以上の凹状チャネルよりも大きく、その結果、第１の１つ以上のスナップ要素のうちの１つ以上は係合されないことになる。
【０１０８】
いくつかの実施形態においては、第１の係合要素は、上端に近接する中空剛性部材から外方に延在する第２のフランジと、上端に近接する中空剛性部材から外方に延在し、中空剛性部材の上端をハンドリング部の内側リングに係合させ、スナップ締まり嵌めで中空剛性部材を入り込み位置に保持するために第２のフランジから内方に間隔を置いて配置される第２の１つ以上のスナップ要素とを含む。この種の実施形態においては、第２の１つ以上のスナップ要素は、１つ以上の環状リングを含むことができる。
【０１０９】
第１の係合要素が第２のフランジおよび第２の１つ以上のスナップ要素を含む実施形態においては、内側リングは、中空剛性部材が入り込み位置にある場合に第２の１つ以上のスナップ要素に係合する１つ以上の凹状チャネルを含むことができる。すなわち、動作時に、内側リングは、内側リングが第２の１つ以上のスナップ要素の上を摺動し、第２のフランジと相互作用するように、中空剛性部材を内側リング内に摺動させることによって第２の１つ以上のスナップ要素に係合し、その場合、第２の１つ以上のスナップ要素は、上端がハンドリング部に選択的に自然に固定されるように１つ以上の凹状チャネルに係合する。一実施形態においては、内側リングは、第２の１つ以上のスナップ要素の一部の上を摺動することができ、その場合、第２の１つ以上のスナップ要素のすべてが１つ以上の凹状チャネルのすべてに係合するとは限らない。別の実施形態においては、１つ以上の凹状チャネルの数は、第２の１つ以上のスナップ要素の数よりも大きく、その結果、１つ以上の凹状チャネルの１つ以上は係合されないことになる。さらに別の実施形態においては、第２の１つ以上のスナップ要素の数は、１つ以上の凹状チャネルよりも大きく、その結果、第２の１つ以上のスナップ要素のうちの１つ以上は係合されないことになる。
【０１１０】
第１の係合要素が第２のフランジおよび第２の１つ以上のスナップ要素を含むいくつかの実施形態においては、第２の係合要素は、第１のフランジおよび第１の１つ以上のスナップ要素を含む。この種の実施形態においては、内側リングは、１つ以上の凹みチャンネルを含むことができ、その場合、１つ以上の凹状チャネルは、中空剛性部材が伸張位置にある場合には第１の１つ以上のスナップ要素に係合し、中空剛性部材が入り込み位置にある場合は第２の１つ以上のスナップ要素に係合する。この実施形態においては、第１のフランジは、第２のフランジから内方に間隔を置いて配置され得る。
【０１１１】
第１の係合要素が第２のフランジおよび第２の１つ以上のスナップ要素を含み、第２の係合要素が第１のフランジおよび第１の１つ以上のスナップ要素を含む一実施形態においては、中空剛性部材は、上端に近接する中空剛性部材から外方に延在し、第２のフランジから間隔を置いて配置される第３のフランジを含むことができ、その場合、第２のフランジは、第１のフランジと第３のフランジとの間に位置決めされる。動作時に、第３のフランジは、取り外し可能な蓋と中空剛性部材との間にシールを提供するように使用され得る。第２の係合要素が第１のフランジと第１の１つ以上のスナップ要素とを含むいくつかの実施形態においては、中空剛性部材は、内部環状壁と、基端に近接する１つ以上の内方に延在する要素とを有し、かつ基端の内部におよび内部環状壁に対して環状インサートをさらに含む。一実施形態においては、伸長可能な注ぎ口が環状インサートに接続され、環状インサートから延在する、環状インサートは、第４のフランジと、１つ以上の内方に延在する要素に係合し、環状インサートを基端に固定するために第１のフランジに近接する凹状チャネルと、を含む。別の実施形態においては、伸長可能な注ぎ口が環状インサートに接続され、環状インサートから延在する、環状インサートは、第４のフランジと、１つ以上の内方に延在する要素に係合し、環状インサートを基端に固定するために第１のフランジの遠位の凹状チャネルと、を含む。１つ以上の内方に延在する要素と凹状チャネルとの間のこの相互作用は、中空剛性部材の環状インサートのその基端への確実な、およびある場合には永久的な接続を提供する。
【０１１２】
中空剛性部材が環状インサートを含む実施形態においては、分配システムはまた、環状インサートを中空剛性部材に固定するための固定要素を含むことができる。
【０１１３】
一実施形態においては、固定要素は、環状インサートを中空剛性部材の外面に固定する。この種の実施形態においては、適切な固定要素の非限定的な実施例には、ばね付勢クリップもしくはクランプ、またはそれらの組み合わせがある。
【０１１４】
別の実施形態においては、固定要素は、環状インサートを中空剛性部材の内面にさらに固定する。一実施形態においては、固定要素は、基端に近接する中空剛性部材の内面の第１の１つ以上のねじ山と、第１フランジに近接する環状インサートの外面の第２の１つ以上のねじ山との組み合わせであり、その場合、第１の１つ以上のねじ山は、第２の１つ以上のねじ山に係合する。
【０１１５】
分配システムがいったん分配開口部の周りに接続されると容器に永久的に取り付けられる実施形態においては、分配システムはまた、中空剛性部材内に少なくとも部分的に配置され、中空剛性部材に接続される伸長可能な注ぎ口を含む。伸長可能な注ぎ口は、近位端および近位開口部、遠位端部および遠位開口部、および排出通路を含む。近位端は中空剛性部材に接続され、遠位端は中空剛性部材から伸長し、中空剛性部材の内部に少なくとも部分的に引っ込むように構成され、排出通路は近位開口から遠位開口まで延在する。伸長可能な注ぎ口は、ハンドリング部が容器の分配開口部の周りに係合される場合に注入可能な材料を容器から遠位開口部を通して分配するように構成され、それによって、注入可能な材料が、たとえば、受け容器または容器自体のサイズまたは形状が原因でほかに可能でない領域または受け容器に分配できるようになる。伸長可能な注ぎ口はまた、指向性の移送を提供するように構成され、注入可能な材料が環境に露出されことなく容器から領域または受け入れ容器に移送され得るようになる。この種の実施形態においては、分配システムは、伸長可能な注ぎ口を中空剛性部材に固定するための固定要素をさらに含むことができる。適切な固定要素の非限定的な実施例には、ナット−ボルトの組み合わせ、およびそれらの組み合わせがある。
【０１１６】
いくつかの実施形態においては、伸長可能な注ぎ口は、熱可塑性材料、紙材料など、またはそれらの組み合わせで作られる。適切な熱可塑性材料の非限定的な実施例には、ポリプロピレン、ポリエチレン、等がある。一実施形態においては、紙材料は、プラスチック層またはワックス層のいずれかで被覆される。一実施形態においては、伸長可能な注ぎ口は、少なくとも部分的に生物分解性であるポリマー材料から作られる。
【０１１７】
いくつかの実施形態においては、伸長可能な注ぎ口は、押出成形によって形成される。
【０１１８】
実施形態においては、伸長可能な注ぎ口の近位端は、中空剛性部材に接続される。この接続により、伸長可能な注ぎ口が特に作動時に中空剛性部材を離脱させるのを防ぐように、伸長可能な注ぎ口が固定される。
【０１１９】
いくつかの実施形態においては、伸長可能な注ぎ口の近位端は、中空剛性部材に直接接続される。すなわち、近位端は、基端に近接する中空剛性部材の内部環状壁または環状インサートに固定される。一実施形態においては、近位端は、接着方法を使用して中空剛性部材に接続される。適切な接着方法の非限定的な実施例には、接着剤の接着、音波溶接、等がある。
【０１２０】
他の実施形態においては、伸長可能な注ぎ口の近位端は、中空剛性部材に間接的に接続される。すなわち、近位端は、別の構成要素または複数の構成要素に固定され、その構成要素または複数の構成要素は、基端に近接する中空剛性部材の内面に少なくとも部分的に固定される。
【０１２１】
いくつかの実施形態においては、伸長可能な注ぎ口は波形部分を含む。別の実施形態においては、伸長可能な部分は可撓性である。さらに別の実施形態においては、伸長可能な注ぎ口は、波形部分を含み、可撓性である。
【０１２２】
いくつかの実施形態おいては、波形部分および伸長可能な注ぎ口は、同じ材料で作られる。他の実施形態においては、波形部分および伸長可能な注ぎ口は、異なる材料で作られる。波形部分が作られ得る適切な材料の非限定的な実施例には、熱可塑性材料、紙材料、等がある。一実施形態においては、紙材料は、プラスチック層またはワックス層のいずれかで被覆される。一実施形態においては、波形部分は、少なくとも部分的に生物分解性であるポリマー材料から作られる。
【０１２３】
いくつかの実施形態においては、波形部分は、伸長可能な注ぎ口と同じ方法で形成され得る。別の実施形態においては、波状部分は、伸長可能な注ぎ口とは異なる様式で形成されてもよい。一実施形態においては、波形部分は、押出成形によって形成される。
【０１２４】
いくつかの実施形態においては、伸長可能な注ぎ口は、伸長可能な注ぎ口が収縮され、遠位端が中空剛性部材内に少なくとも部分的に配置される収縮した構成に、およびあるいは、伸長可能な注ぎ口が延在され、遠位端が中空剛性部材の外に延在する伸長構成に選択的に位置決め可能である。すなわち、伸張可能な注ぎ口の長さは、使用前、使用中、または使用後に変化されることができ、したがって、１つの特定の長さに固定され得ない。この特徴により、システムを容器から分離しなくても材料を容器からさまざまな目的地に分配する能力のある分配システムが有益に提供される。
【０１２５】
一実施形態においては、ユーザは、所望に応じて伸長可能な注ぎ口を１つの伸張長さから第２の伸長長さまで調整するように、手の指または工具を伸長可能な注ぎ口の遠位端に挿入することができる。
【０１２６】
動作時に、伸長可能な注ぎ口は、完全に伸長した構成、または部分的に伸長した構成に選択的に位置決めされ得る。一実施形態においては、伸長可能な注ぎ口は、完全に伸長した構成の場合は、約３インチ〜約４０インチの長さを有する。一実施形態においては、伸長可能な注ぎ口は、完全に伸長した構成の場合は、約５インチ以下の長さを有する。別の実施形態においては、伸長可能な注ぎ口は、完全に伸長した構成の場合は、約４０インチ以下の長さを有する。さらに別の実施形態においては、伸長可能な注ぎ口は、完全に伸長した構成の場合は、約８インチ〜約２１インチの長さを有する。別の実施形態においては、伸長可能な注ぎ口は、完全に伸長した構成の場合には、約８インチ〜約３０インチの長さを有する。他の実施形態においては、伸長可能な注ぎ口は、完全に伸長した構成の場合は、約８インチ〜約４０インチの長さを有する。
【０１２７】
動作時に、伸長可能な注ぎ口は、完全に収縮した構成、または部分的に収縮した構成に選択的に位置決めされ得る。いくつかの実施形態においては、伸長可能な注ぎ口は、完全に収縮した構成の場合は、中空剛性部材の長さとほぼ等しいかまたはそれより短い長さを有する。
【０１２８】
いくつかの実施形態においては、延長可能な注ぎ口は、中空剛性部材の長さに関して４：１の比率で延在するように構成される。たとえば、中空剛性部材の１インチ毎に、伸長可能な注ぎ口は、４インチまで完全に延在することができる。
【０１２９】
いくつかの実施形態においては、伸長可能な注ぎ口の遠位端の内面は、伸長可能な注ぎ口を中空剛性部材から伸長構成に延在する際にユーザを助けるように溝またはディンプルを含む。別の実施形態においては、リップまたは隆起部は、伸長可能な注ぎ口の遠位端の内面または外面の少なくとも１つに設置される。リップまたは隆起部は、同様に、伸長可能な注ぎ口を中空剛性部材から延在する際にユーザを助けるように構成され得る。
【０１３０】
１つの実施形態においては、分配システムは、伸長可能な注ぎ口の遠位端の外面から外方に延在するタブを含むことができる。タブは、有利なことに、中空剛性部材から伸長可能な注ぎ口を延在する際にユーザを助ける。
【０１３１】
いくつかの実施形態においては、分配システムは、伸長可能な注ぎ口の遠位開口部を覆う取り外し可能な安全シールを含む。一実施形態においては、取り外し可能な安全シールは、伸長可能な注ぎ口の遠位開口部に接続される。別の実施形態においては、取り外し可能な安全シールは、伸長可能な注ぎ口の遠位端の内面に接続される。さらに別の実施形態においては、取り外し可能な安全シールは、遠位端の外面に接続され得る。特定の実施形態においては、取り外し可能な安全シールは、取り付けのために遠位開口部または遠位端の内面のいずれかにヒートシールされる。
【０１３２】
いくつかの実施形態おいては、分配システムは、伸長可能な注ぎ口の近位端を覆う取り外し可能な安全シールを含む。一実施形態においては、取り外し可能な安全シールは、伸長可能な注ぎ口の近位開口部に接続される。別の実施形態においては、取り外し可能な安全シールは、伸長可能な注ぎ口の近位端の内面に接続される。さらに別の実施形態においては、取り外し可能な安全シールは、近位端の外面に接続され得る。特定の実施形態においては、取り外し可能な安全シールは、取り付けのために近位開口部または近位端の内面のいずれかにヒートシールされる。
【０１３３】
別の実施形態においては、取り外し可能な安全シールは、たとえば、伸長可能な注ぎ口が中空剛性部材に完全ではないとしても実質的に収縮した場合の上端、または基端に近接する中空剛性部材に接続される。
【０１３４】
いくつかの実施形態においては、分配システムは、２つ以上の取り外し可能な安全シールを含む。たとえば、一実施形態においては、伸長可能な注ぎ口の遠位開口部は、第１の取り外し可能な安全シールで覆われ、伸長可能な注ぎ口の内面は、第２の取り外し可能な安全シールで覆われる。
【０１３５】
いくつかの実施形態においては、取り外し可能な安全シールは、プラスチック層が排出通路の方向に面するプラスチック層で被覆される金属箔を含む。適切な金属箔の非限定的な実施例には、アルミニウム、白金、等がある。
【０１３６】
いくつかの実施形態においては、取り外し可能な安全シールは、取り外しのために穿刺され得る。もう１つ実施形態においては、取り外し可能な安全シールは、ユーザが取り外し可能な安全シールを伸長可能な注ぎ口または中空剛性部材のいずれかから剥離運動で取り外すことができるようになるプルタブを含むことができる。
【０１３７】
実施形態においては、分配システムはまた、中空剛性部材が入り込み位置にある場合に、中空剛性部材の上端を覆う取り外し可能な蓋を含むことができる。一実施形態においては、取り外し可能な蓋は、ユーザが蓋を取り外し、伸長可能な注ぎ口にアクセスできるように、蓋から延在するタブを含む。さらに別の実施形態においては、取り外し可能な蓋は、締結要素（たとえば、クランプまたはスナップ）または摩擦嵌合によってハンドリング部に着脱自在に接続される。別の実施形態においては、取り外し可能な蓋は、ハンドリング部分の外周に配置された外側の１つ以上のねじ山に係合するように構成された内側の１つ以上のねじ山を含む。
【０１３８】
実施形態においては、取り外し可能な蓋は、たとえば図２５および図２６に示されるように、蓋が中空剛性部材の上端を覆う場合に閉位置にある。この種の実施形態においては、取り外し可能な蓋は、蓋が完全にまたは少なくとも部分的に分配システムから取り外される場合に開位置にあり、それによってたとえば図２７および図３６に示されるように、蓋を取り中空剛性部材の少なくとも一部を露出させる。
【０１３９】
分配システムが取り外し可能な蓋を含む実施形態においては、取り外し可能な蓋は、閉位置にある場合に蓋と中空剛性部材との間にシールを形成するように中空剛性部材の上端に係合する封止フランジを含むことができる。一実施形態においては、封止フランジは、蓋が閉位置にある場合に、内部環状壁に当接するかまたは中空剛性部材の外壁に対して嵌合することによって中空剛性部材の上端に係合する。別の実施形態においては、封止フランジは、中空剛性部材の上端の頂上に互いに近づき合うことによって中空剛性部材の上端に係合し、その場合、互いに近づき合うと、封止フランジの少なくとも一部が外向きに曲がるかまたは湾曲する。
【０１４０】
いくつかの実施形態においては、注入可能な材料は流体である。実施形態においては、流体は、液体、または液体と気体との組み合わせである。適切な流体の非限定的な例には、モーターオイルなどがある。他の実施形態においては、注入可能材料は、流動性固体である。好適な流動性固体の非限定的な実施例には、砂、小石などがある。さらに他の実施形態においては、注入可能な材料は、流体と流動性固体との組み合わせである。
【０１４１】
容器の分配開口部の周りにいったん固定されると、容器に永久的に取り付けられる分配システムの１つの実施形態が、図２５〜図３２に示されている。システム５００は、一般に、ハンドリング部５０２、中空剛性部材５０４、および伸長可能な注ぎ口５０６を含む。
【０１４２】
ハンドリング部５０２は、外側リング５０８と、外側リング５０８から内方に間隔を置いて配置され、円形開口５１１を画定する内側リング５１０とを含む。この実施形態においては、内側リング５１０は、分配システム５００が容器に挿入され得る容易さを有益に増加させると同時に、容器の分配開口部の周りにぴったりと嵌合するように先細になっている。他の実施形態においては、内側リング５１０は、少なくとも一部が容器の構造によって基礎づけられた異なるように形成され、かつ／または寸法付けられ得る。
【０１４３】
この実施形態においては、分配システム５００はまた、第１の１つ以上の結合要素５５４を含む。第１の１つ以上の結合要素５５４は、ハンドリング部５０２を容器に保持するように容器の第２の１つ以上の結合要素に係合する。この特定の実施形態においては、第１の１つ以上の結合要素５５４は、第１の１つ以上の歯５５６と、第１の１つ以上の歯５５６に隣接して配置される第１の１つ以上の凹状チャネル５５８とを含み、これは、図３４〜図３５にさらに示されている。第１の１つ以上の歯５５６は、容器の第２の１つ以上の凹状チャネルに係合するように構成され、第１の１つ以上の凹状チャネル５５８は、容器の第２の１つ以上の歯を受け入れるように構成され、それによって、分配システム５００は、容器に永久的に取り付けられる。
【０１４４】
円形開口５１１内に摺動可能に配置される中空剛性部材５０４は、上端５１２と、基端５１４と、内部環状壁５１６と、基端５１４の内側のかつ内部環状壁５１６に対する環状インサート５１８と、基端５１４に近接する１つ以上の内方に延在する要素５１７とを含む。環状インサート５１８は、第４のフランジ５５２および凹状チャネル５１９を含み、そこでは、凹状チャネル５１９は、環状インサート５１８を基端５１４に固定するように１つ以上の内方に延在する要素５１７に係合する。この特定の実施形態においては、凹状チャネル５１９は、第１のフランジ５３６に近接している。いくつかの実施形態においては、中空剛性部材５０４はまた、上端５１２から外方に延在する第３のフランジ５２０を含むことができる。伸長可能な注ぎ口５０６は、少なくとも部分的に中空剛性部材５０４内に配置され、中空剛性部材５０４の環状インサート５１８にしっかりと接続される。
【０１４５】
図２５〜図２６においては、分配システム５００は、取り外し可能な蓋５２２を閉位置にして示されている。取り外し可能な蓋５２２は、ハンドリング部５０２に蝶番式に取り付けられ、中空剛性部材５０４の上端５１２を覆う。取り外し可能な蓋５２２はまた、閉位置にある場合の取り外し可能な蓋５２２と中空剛性部材５０４の上端５１２との間の密封嵌合を提供するように、第３のフランジ５２０に係合する封止フランジ５２４を含む。この特定の実施形態においては、封止フランジ５２４は、中空剛性部材５０４の上端５１２において内部環状壁５１６に当接する。
【０１４６】
図２５〜図２８においては、分配システム５００は、入り込み位置に示されている。すなわち、中空剛性部材５０４の上端５１２は、ハンドリング部５０２に近接しており、基端５１４は、ハンドリング部５０２から離れるように延在する。上端５１２は、上端５１２から外方に延在し、内側リング５１０の少なくとも一部に係合する第１の係合要素５２６を含み、それによって、中空剛性部材５０４は、中空剛性部材５０４がハンドリング部５０２から離脱し分離すること、たとえば分配開口部の周りに係合する場合にハンドリング部を通して容器の中に移動することを防ぐようにハンドリング部５０２に固定される。
【０１４７】
第１の係合要素５２６は、第２のフランジ５２８と、対応する第２の１つ以上のスナップ要素５３０とを含み、それらの両方は、上端１２に近接する中空剛性部材５０４から外方に延在する。第２の１つ以上のスナップ要素５３０は、それぞれ、環状リング５３２を含む。この特定の実施形態においては、内側リング５１０は、中空剛性部材５０４の上端５１２がハンドリング部分５０２の内側リング５１０に係合するように、第２の１つ以上のスナップ要素５３０に係合する１つ以上の凹状チャネル５５０を含む。このタイプの係合は、有利なことに、所望の時間の間、スナップ締まり嵌めで中空剛性部材５０４を入り込み位置に保持する。
【０１４８】
図２７〜図３２においては、分配システム５００は、取り外し可能な蓋５１６を開位置にして示されており、それによって、中空剛性部材５０４の上端５１２が露出される。いったん取り外し可能な蓋５１６が開位置になると、中空剛性部材５０４は、図２７〜図２８に示される入り込み位置から、たとえば図２９〜図３２に示されるように伸長位置に位置決めされ得る。この実施形態においては、中空剛性部材５０４は、中空剛性部材５０４の上端５１２にハンドリング部５０２から離れるように引張力を加え、それによって上端５１２を第１の係合要素５１８から離脱させ、中空剛性部材５０４を基端５１４に係合するように摺動させることによって入り込み位置から伸長位置まで選択的に位置決めされ得る。
【０１４９】
図２９〜図３２においては、分配システム５００は、伸長位置に示されている。すなわち、中空剛性部材５０４の基端５１４は、ハンドリング部５０２に近接している。基端５１４は、内側リング５１０の少なくとも一部に係合する第２の係合要素５３４を含み、それによって中空剛性部材５０４は、ハンドリング部５０２に固定される。
【０１５０】
第２の係合要素５３４は、第１のフランジ５３６と、対応する第１の１つ以上のスナップ要素５３８とを含み、それらの両方は、基端５１４に近接する中空剛性部材５０４から外方に延在する。第１の１つ以上のスナップ要素５３８はそれぞれ、環状リング５４０を含む。第１の１つ以上のスナップ要素５３８はまた、中空剛性部材５０４の基端５１４をハンドリング部５０２の内側リング５１０に係合させるために、第１のフランジ５３６から内方に間隔を置いて配置される。この特定の実施形態においては、内側リング５１０の１つ以上の凹状チャネル５５０はまた、基端５１４が内側リング５１０に係合するように、第１の１つ以上のスナップ要素５３８に係合する。このタイプの係合は、有利なことに、所望の時間の間、スナップ締まり嵌めで中空剛性部材５０４を伸長位置に保持する。この特定の実施形態においては、第１のフランジ５３６は、第２のフランジ５２８から内方に間隔を置いて配置される。
【０１５１】
この実施形態においては、中空剛性部材５０４は、伸長位置にある場合に、中空剛性部材５０４が容器の内部から、すなわち少なくとも容器の本体より上にまたは注入可能な材料の充填ラインより上に実質的に取り外されるように構成され、それによって、容器の内容物の全てではないとしてもほぼ全てが容器から分配されるようになっている。ハンドリング部が容器の分配開口部の周りに係合され続ける間に容器の内部から中空剛性部材を実質的に取り外す能力は、その分配中に容器の注入可能な材料の望ましくない閉じ込みを有益に回避する。
【０１５２】
ここで図３１〜図３２を参照すると、伸長可能な注ぎ口５０６は、中空剛性部材５０４から完全に延在しているものとして示されている。いくつかの実施形態においては、伸長可能な注ぎ口５０６は、中空剛性部材５０４からの伸長可能な注ぎ口５０６の延在を助けるように、伸長可能な注ぎ口５０６から外方に延在するタブ５６０を含むことができる。中空剛性部材５０４から部分的にまたは完全に延在される場合、伸長可能な注ぎ口５０６は、次いで、伸長可能な注ぎ口５０６が、たとえば位置、容器のサイズ、および／または容器の内容物に起因してほかにはアクセスできないはずの受け領域に対するアクセスを、およびしたがって内容物を分配する能力を提供するようにたとえば曲げられる方法で追加的に操作され得る。
【０１５３】
さらなる実施形態においては、分配システム５００は、図３３に示されように、固定要素５６２も含むことができる。この特定の実施形態においては、固定要素５６２は、環状インサート５１８を中空剛性部材５０４の外壁５６４に固定するように使用される。
【０１５４】
材料容器
本明細書において説明される取り外し可能な分配システムは、材料容器を形成するように容器と共に使用され得る。本明細書において説明される材料容器は、一般に、分配開口部を有する容器と、分配開口部の周りで容器に選択的に接続される本明細書においてかつ上に説明された取り外し可能な分配システムとを含む。いくつかの実施形態においては、材料容器は、分配開口部を有する容器と、分配開口部の周りで容器に永久的に接続される本明細書においてかつ上に説明された分配システムとを含む。
【０１５５】
実施形態においては、容器は、一般に、本体および首部を含む。容器の本体は、さまざまな異なる構造構成の形を取ることができる。たとえば、容器の本体は、円筒形または多角形の構造構成を有することができる。適切な多角形構造構成の非限定的な実施例には、円、三角形、正方形、および長方形がある。容器の首部は、任意の適切な長さから成ることができる。
【０１５６】
いくつかの実施形態においては、取り外し可能な分配システムは、システムが所望のように分配開口部の周りに接続され、接続されず、かつその逆もまた同じであり得るように構成される。すなわち、取り外し可能な分配システムは、容器に一時的に接続され得る。他の実施形態においては、取り外し可能な分配システムは、いったん接続されると、システムが容器に永久的に取り付けられるように構成される。
【０１５７】
いくつかの実施形態においては、取り外し可能な分配システムは、インラインまたはオフラインのいずれかで、容器の製造中に容器に接続される。すなわち、材料容器は、容器に取り付けられる取り外し可能な分配システムと共に予め包装されて利用可能であり得る。予め包装されている場合、これは、取り外し可能な分配システムを分配開口部の周りに接続するより前に、従来のキャップを容器から取り外さなければならないことを防止することになる。
【０１５８】
他の実施形態においては、容器の最初のキャップが、およびいくつかの実施形態においてはシールもまず第１に取り外されなければならず、それによって、容器の分配開口部が露出される。次いで、取り外し可能な分配システムは、分配開口部の周りで容器に接続され得る。
【０１５９】
いくつかの図面を通して同様の符号が同様の要素を指す図面を次に参照すると、図１５〜図１９および図２０〜図２４は、それぞれ、図１〜図７および図８〜図１４に示される取り外し可能な分配システムを実施する２つの異なる例示的な材料容器を示している。
【０１６０】
１つの実施形態においては、次に図１５〜１９を参照すると、材料容器３００は、分配開口部３０４を備える容器３０２を含む。容器３０２は、その中に注入可能な材料を収容するように構成される内部空間３１０を画定する本体３０６を有する。容器３０２はまた、内部空間３１０と連通する首部３０８を有する。材料容器３００は、分配開口部３０４の周りで容器３０２に選択的に接続される（図１〜図７に示されるような）取り外し可能な分配システム１００をさらに含む。
【０１６１】
いくつかの実施形態においては、首部３０８は、注入可能な材料の一部を部分的に収容するように追加として構成されている。
【０１６２】
いくつかの実施形態においては、容器３０２は、運搬中および／または使用中に容器３０２の取り扱いを助けるための把持可能または掴み可能な部分３１２を有する。
【０１６３】
図１６に示されるように、分配開口部３０４の周りにかつ入り込み位置に係合される場合の取り外し可能な分配システム１００は、首部３０８を通してかつ本体３０６の内部空間３１０の少なくとも一部に中に延在する。図１８に示されように、取り外し可能な分配システム１００は、伸長位置にある場合に、取り外し可能な分配システム１００が首部３０８内に部分的に位置決めされるように本体３０６の内部空間３１０から取り外され、容器３０２の本体３０６内に収容される注入可能な材料は、首部３０８を通して、かつ次に、環境に露出されることなく取り外し可能な分配システム１００を通して実質的にそこから分配され得る。伸長位置における取り外し可能な分配システムの位置は、注入可能な材料が容器の首部内に閉じ込められるのを有利に防ぎ、それによって、注入可能な材料の全てではないとしても大部分が、従来の分配システムの場合に他の点では妥当と思われない容器から分配できるようになっている。
【０１６４】
別の実施形態においては、次に図２０〜図２４を参照すると、材料容器４００は、分配開口部４０４を備える容器４０２を含む。容器４０２は、その中に注入可能な材料を収容するように構成される内部空間４１０を画定する本体４０６を有する。容器４０２はまた、内部空間４１０と連通する首部４０８を有する。材料容器４００は、分配開口部４０４の周りで容器４０２に選択的に接続される（図８〜図１４に示されるように）取り外し可能な分配システム２００をさらに含む。
【０１６５】
いくつかの実施形態においては、首部４０８は、注入可能な材料の一部を部分的に収容するように追加として構成される。
【０１６６】
いくつかの実施形態においては、容器４０２は、運搬中および／または使用中に容器４０２の取り扱いを助けるための把持可能または掴み可能な部分４１２を有する。
【０１６７】
図２１に示されるように、分配開口部４０４の周りにかつ入り込み位置で係合された場合の取り外し可能な分配システム２００は、首部４０８を通してかつ本体４０６の内部空間４１０の少なくとも一部分の中に延在する。図２３に示されるように、取り外し可能な分配システム２００は、伸長位置にある場合に、取り外し可能な分配システム２００が首部４０８内に部分的に位置決めされるように本体４０６の内部空間４１０から取り外され、容器４０２の本体４０６内に収容される注入可能な材料は、次いで、首部４０８を通して、次に環境に露出されることなく取り外し可能な分配システム２００を通して実質的にそこから分配され得る。図２３に示されるように、伸長位置にある取り外し可能な分配システムの位置は、注入可能な材料が容器の首部内に閉じ込められることを有利に防ぎ、それによって、注入可能な材料の全てではないとしても大部分が容器から分配されるようになっている。
【０１６８】
動作時に、容器は、蓋を取り外すことによって、およびいくつかの実施形態においては、かつ／または初めに容器が備える取り外し可能な安全シールを取り外すかまたは穿刺することによって、または容器の本体を穿刺することによって開放されることができ、それによって、容器の分配開口部が露出される。いったん容器の分配開口部が露出されると、次に、取り外し可能な分配システムは、分配開口部の周りで容器に接続され得る。次に、中空剛性部材は、伸長位置に選択的に位置決めされ、伸長可能な注ぎ口は、中空剛性部材から少なくとも部分的に延在される。次いで、容器は、容器内の注入可能な材料が近位開口部を通して伸長可能な注ぎ口に入り、排出通路を通過し、遠位開口部から受け容器または領域の方へ伸長可能な注ぎ口を出て行くように位置決めされる。
【０１６９】
材料容器が予め包装される動作においては、材料容器は、取り外し可能な蓋を取り外すことによって開放され、それによって、中空剛性部材へのアクセスを作り出すことができる。次に、中空剛性部材は、伸長位置に選択的に位置決めされ、伸長可能な注ぎ口は、中空剛性部材から少なくとも部分的に延在される。次いで、容器内の注入可能な材料は、近位開口部を通して伸長可能な注ぎ口に入り、排出通路を通過し、遠位開口部から受け容器の方へ伸長可能な注ぎ口を出て行く。
【０１７０】
容器から所望の量の内容物を分配した後、取り外し可能な分配システムは、取り外し可能な蓋が中空剛性部材の上端を密封するように導入され、または再導入され得る容器に接続され、または容器から分離されたままであることができ、この場合、容器は、容器が備える最初の蓋で再封止されるかまたは廃棄され得る。
【０１７１】
いったん容器の分配開口部の周りに固定されると、それに永久的に取り付けられる分配システムは、インラインまたはオフラインのいずれかで容器の製造中に容器に接続され得る。すなわち、材料容器は、容器に永久的に取り付けられる分配システムと共に予め包装されて利用可能であり得る。予め包装される場合、これは、分配システムを分配開口部の周りに接続する前に、従来のキャップを容器から取り外さなければならないことを防ぐことになる。他の実施形態においては、容器の最初のキャップが、およびいくつかの実施形態においてはシールもまず第１に取り外されなければならず、それによって、容器の吐出開口部が露出され、その後、この種の分配システムは、この場合は分配開口部の周りで容器に永久的に接続され得る。
【０１７２】
ここで図面を参照すると、いくつかの図面を通して同様の符号は同様の要素を指しているが、図３６〜図４１は、図２５〜図３２に示される分配システムを実施する例示的な材料容器を示している。
【０１７３】
材料容器６００は、分配開口部６０４を備える容器６０２を含む。容器６０２は、その中に注入可能な材料を収容するように構成される内部空間６１０を画定する本体６０６を有する。容器６０２はまた、内部空間６１０と連通する首部６０８を有する。材料容器６００は、分配システム５００をさらに含み、その場合、分配システムは、分配開口部６０４の周りで容器６０２に永久的に接続される。この特定の実施形態においては、容器６０２は、システム５００の第１の１つ以上の結合要素５５４に係合する第２の１つ以上の結合要素６６６を含む。この実施形態においては、第２の１つ以上の結合要素６６６は、第２の１つ以上の歯６６８と、図４２にさらに示される、第２の１つ以上の歯６６８に隣接して配置される第２の１つ以上の凹状チャネル６７０とを含む。第２の１つ以上の歯６６６は、分配システム５００の第１の１つ以上の凹状チャネル５５８に係合するように構成され、第２の１つ以上の凹状チャネル６７０は、分配システム５００の第１の１つ以上の歯５５６を受け入れるように構成され、それによって、いったん係合されると、分配システム５００は、容器６０２に永久的に取り付けられる。
【０１７４】
いくつかの実施形態においては、首部６０８は、注入可能な材料の一部を部分的に収容するように追加として構成される。
【０１７５】
いくつかの実施形態においては、容器６０２は、運搬中および／または使用中に容器６０２の取り扱いを助けるための把持可能または掴み可能な部分を有することができる。
【０１７６】
図３６〜図３７に示されるように、分配システム５００は、分配開口部６０４の周りにかつ入り込み位置に永久的に係合される場合に、首部６０８を通して、および本体６０６の内部空間６１０の少なくとも一部の方へ延在する。図３８〜３９に示されるように、伸長位置にある場合に、分配システム５００は、分配システム５００が首部６０８内に部分的に位置決めされるように本体６０６の内部空間６１０から取り外され、容器６０２の本体６０６内に収容される注入可能な材料は、この場合、首部６０８および分配開口部６０４を通して、次いで環境に露出されることなく分配システム５００を通して実質的にそこから分配され得る。伸長位置における分配システム５００の位置は、注入可能な材料が容器６０２の首部６０８内に閉じ込められることを有利に防ぎ、それによって、注入可能な材料の全てではないとしても大部分が、従来の分配システムの場合に他の点では妥当と思われない容器から分配できるようになっている。
【０１７７】
動作時に、容器は、蓋を取り外すことによって、およびいくつかの実施形態においては、かつ／または初めに容器を備える取り外し可能な安全シールを取り外すかまたは穿刺することによって、または容器の本体を穿刺することによって開放されることができ、それによって、容器の分配開口部が露出される。いったん容器の分配開口部が露出されると、分配システムは、次に、分配開口部の周りで容器に永久的に接続され得る。次に、中空剛性部材は、伸長位置に選択的に位置決めされることができ、伸長可能な注ぎ口は、中空剛性部材から少なくとも部分的に延在される。次いで、容器は、容器内の注入可能な材料が近位開口部を通して伸長可能な注ぎ口に入り、排出通路を通過し、遠位開口部から受け容器または領域の方へ伸長可能な注ぎ口を出て行くように位置決めされる。
【０１７８】
材料容器が、容器に永久的に接続される分配システムによって予め包装される動作においては、材料容器は、取り外し可能な蓋を取り外すことによって開放されることができ、それによって中空剛性部材へのアクセスが生じる。次に、中空剛性部材は、伸長位置に選択的に位置決めされ、伸長可能な注ぎ口は、中空剛性部材から少なくとも部分的に延在される。次いで、容器内の注入可能な材料は、近位開口部を通して伸長可能な注ぎ口に入り、排出通路を通過し、遠位開口部から受け容器の方へ伸長可能な注ぎ口を出て行く。
【０１７９】
容器から所望の量の内容物を分配した後に、取り外し可能な蓋は、存在する場合には、中空剛性部材の上端を密封するように導入され、または再導入され得る。
【０１８０】
いくつかの実施形態においては、容器は、注入可能な材料が容器から伸長可能な注ぎ口の方へ重力供給されるように位置決めされる。他の実施形態においては、容器は、注入可能な材料が伸長可能な注ぎ口を通して重力駆動されるように位置決めされる。容器内の注入可能な材料は、重力のほかにまたは重力に加えて適切な手段によって、たとえば容器内で内部的に、および／またはそれから外部的に設置される１つ以上のポンプによって伸長可能な注ぎ口の中へ、それを通して、および／またはそれの外に駆動され得ることに留意されたい。他の実施形態においては、容器は、注入可能な材料が容器から分配される場合に容器を空気で埋め戻すように、最初に封止され、その後開封されるオリフィスを含む。一実施形態においては、オリフィスは、分配期間中または分配期間の間に、繰り返して封止され、開封され得る。
【０１８１】
本教示を説明し定義する目的で、本明細書において、「実質的に」という用語は、任意の定量的な比較、値、測定、または他の表現に帰することができる固有の不確実性の度合を表すために利用されることが留意される。また、「実質的に」という用語は、本明細書において、定量的表現が、問題となっている主題の基本機能に変化を生じることなく、定められた基準と異なり得る程度を表すために利用される。
【０１８２】
文脈および技術的理由が許す場合に、特定の実施形態にのみ開示され得るさまざまな特徴を組み合わせて他の開示された実施形態にする能力を強調して、本開示の次の番号を付した態様、実施形態および特徴が提供される。
【０１８３】
第１節  容器のための取り外し可能な分配システムであって、
前記容器の分配開口部の周りにハンドリング部を選択的に固定し、かつあるいは前記ハンドリング部を取り外すように構成された外側リング、および前記ハンドリング部内の円形開口を画定する内側リングを備える、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合要素を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部と、
遠位端が中空剛性部材から延在し、前記中空剛性部材の中に少なくとも部分的に収縮するように構成される、遠位端および遠位開口部と、
前記近位開口部から前記遠位開口部まで延在する排出通路と
を備え、
前記ハンドリング部が前記容器の前記分配開口部の周りに係合される場合に前記容器から前記遠位開口部を通して注入可能な材料を分配するように構成される、伸長可能な注ぎ口と
を備える、分配システム。
【０１８４】
第２節  前記第２の係合要素は、前記中空剛性部材が前記伸長位置にある場合に前記ハンドリング部の前記内側リングに係合し、前記中空剛性部材を前記ハンドリング部に固定するために、前記基端に近接する前記中空剛性部材から外方に延在する第１の１つ以上の周辺要素を備える、第１節に記載のシステム。
【０１８５】
第３節  前記第２の係合要素が、前記基端に近接する前記中空剛性部材から外方に延在する第１のフランジと、前記基端に近接する前記中空剛性部材から外方に延在し、前記中空剛性部材の前記基端を第１のフランジと第１の１つ以上のスナップ要素との間で前記ハンドリング部の前記内側リングに係合させ、スナップ締まり嵌めで前記中空剛性部材を前記伸長位置に保持するために前記第１のフランジから内方に間隔を置いて配置される第１の１つ以上のスナップ要素とを備える、第１節に記載のシステム。
【０１８６】
第４節  前記中空剛性部材が、前記ハンドリング部から離れる方向に前記上端を引っ張り、前記中空剛性部材を第１の１つ以上の前記周辺要素に係合するように摺動させることによって前記入り込み位置から前記伸長位置まで選択的に位置決め可能である、第２節に記載のシステム。
【０１８７】
第５節  前記中空剛性部材が、前記ハンドリング部に向かう方向に前記上端に力を加え、前記中空剛性部材を前記第１の１つ以上の周辺要素との係合から外すように摺動させることによって前記伸長位置から入り込み位置まで選択的に位置決め可能である、第４節に記載のシステム。
【０１８８】
第６節  前記第１の係合要素が、前記ハンドリング部の前記内側リングに係合し、前記中空剛性部材が前記入り込み位置にある場合に前記中空剛性部材を前記ハンドリング部に固定するために前記上端に近接する前記中空剛性部材から外方に延在する第２の１つ以上の周辺要素を備える、第２節に記載のシステム。
【０１８９】
第７節  前記第１の係合要素は、前記上端に近接する前記中空剛性部材から外方に延在する第２のフランジと、前記上端に近接する前記中空剛性部材から外方に延在し、前記中空剛性部材の前記上端を前記第２のフランジと第２の１つ以上のスナップ要素との間で前記ハンドリング部の前記内側リングに係合させ、スナップ締まり嵌めで前記中空剛性部材前記を入り込み位置に保持するために前記第２のフランジから内方に間隔を置いて配置される第２の１つ以上のスナップ要素とを備える、第３節に記載のシステム。
【０１９０】
第８節  前記中空剛性部材が、前記上端に近接する前記中空剛性部材から外方に延在し、前記第２のフランジから間隔を置いて配置される第３のフランジをさらに備え、前記第２のフランジが、前記第１のフランジと前記第３のフランジとの間に配置される、第７節に記載のシステム。
【０１９１】
第９節  前記中空剛性部材が、前記ハンドリング部から離れる方向に前記上端を引っ張り、前記ハンドリング部の前記内側リングを前記第２の１つ以上の周辺要素から離脱させ、前記中空剛性部材を前記第１の１つ以上の周辺要素に係合するように摺動させることによって、前記入り込み位置から前記伸長位置まで選択的に位置決め可能である、第６節に記載のシステム。
【０１９２】
第１０節  前記中空剛性部材が、前記ハンドリング部に向かう方向に前記上端に力を加え、前記中空剛性部材を前記第１の１つ以上の周辺要素との係合を外すように摺動させ、前記ハンドリング部の前記内側リングを前記第２の１つ以上の周辺要素に係合させることによって前記伸長位置から前記入り込み位置まで選択的に位置決め可能である、第９節に記載のシステム。
【０１９３】
第１１節  前記第１の１つ以上のスナップ要素が、環状リングを備える、第３節に記載のシステム。
【０１９４】
第１２節  前記第２の１つ以上のスナップ要素が、環状リングを備える、第７節に記載のシステム。
【０１９５】
第１３節  前記中空剛性部材が、内部環状壁と１つ以上の内方に延在する要素とを有し、前記基端の内方におよび前記内部環状壁に対して環状インサートをさらに備え、前記環状インサートが、前記第１のフランジと、前記１つ以上の内方に延在する要素に係合し、前記環状インサートを前記基端に固定するための前記第１のフランジの遠位の凹状チャネルとを備え、前記伸長可能な注ぎ口が、前記環状インサートに接続され、前記環状インサートから延在する、第３節に記載のシステム。
【０１９６】
第１４節  前記第１の係合要素が、前記ハンドリング部の前記内側リングに係合し、前記中空剛性部材が前記入り込み位置にある場合に前記中空剛性部材を前記ハンドリング部に固定するために前記上端に近接する第２の１つ以上のねじ山を備える、第３節に記載のシステム。
【０１９７】
第１５節  前記第１の係合要素が、前記上端に近接する前記中空剛性部材から外方に延在する第２のフランジをさらに備える、第１４節に記載のシステム。
【０１９８】
第１６節  前記第２の係合要素が、前記ハンドリング部の前記内側リングに係合し、前記中空剛性部材が前記伸張位置にある場合に前記中空剛性部材を前記ハンドリング部に固定するために前記基端に近接する第１の１つ以上のねじ山を備える、第１節に記載のシステム。
【０１９９】
第１７節  前記第２の係合要素が、前記基端に近接する前記中空剛性部材から外方に延在する第１のフランジをさらに備える、第１６節に記載のシステム。
【０２００】
第１８節  前記中空剛性部材が、内部環状壁と、前記基端に近接する前記内部環状壁内の凹状チャネルとを有し、前記基端の内側におよび前記内部環状壁に対して環状インサートをさらに備え、前記環状インサートが、前記第１のフランジと、前記凹状チャネルに係合し、前記環状インサートを前記基端に固定するために前記第１のフランジに近接する外方に延在する要素とを備え、伸長可能な注ぎ口が、前記中空剛性部材の前記環状インサートに接続され、前記環状インサートから延在する、第１７節に記載のシステム。
【０２０１】
第１９節  前記中空剛性部材が、前記中空剛性部材から離れる方向に前記上端を引っ張り、前記中空剛性部材の前記基端に前記内側リングを螺合させることによって入り込み位置から前記伸長位置まで選択的に位置決め可能である、第１７節に記載のシステム前記。
【０２０２】
第２０節  前記中空剛性部材が、前記ハンドリング部の前記内側リングを前記基端から螺合離脱させ、前記中空剛性に向かう方向に前記上端に力を加えることによって、前記伸長位置から前記入り込み位置まで選択的に位置決め可能である、第１９節に記載のシステム。
【０２０３】
第２１節  前記第１の係合要素が、前記ハンドリング部の前記内側リングに係合し、前記中空剛性部材が前記入り込み位置にある場合に前記中空剛性部材を前記ハンドリング部に固定するために前記上端に近接する第２の１つ以上のねじ山を備える、第１７節に記載のシステム。
【０２０４】
第２２節  前記第１の係合要素が、前記上端に近接する前記中空剛性部材から外方に延在する第２のフランジをさらに備える、第２１節に記載のシステム。
【０２０５】
第２３節  前記中空剛性部材が、前記ハンドリング部の前記内側リングを前記上端から螺合離脱させ、前記上端を前記ハンドル部から離れる方向に引っ張り、前記内側リングを前記中空剛性部材の前記基端に螺合させることによって前記入り込み位置から前記伸長位置まで選択的に位置決め可能である、第２１節に記載のシステム。
【０２０６】
第２４節  前記中空剛性部材が、前記ハンドリング部の前記内側リングを前記基端から螺合離脱させ、前記ハンドリング部に向かう方向に前記上端に力を加え、前記内側リングを前記中空剛性部材の前記上端に螺合させることによって、前記伸長位置から前記入り込み位置まで選択的に位置決め可能である、第２３節に記載のシステム。
【０２０７】
第２５節  前記伸長可能な注ぎ口は、前記伸長可能な注ぎ口が収縮され、前記遠位端が前記中空剛性部材内に少なくとも部分的に配置される収縮した構成、および、あるいは前記伸長可能な注ぎ口が延在され、前記遠位端が前記中空剛性部材の外に延在する伸長構成で選択的に位置決め可能である、第１節に記載のシステム。
【０２０８】
第２６節  前記中空剛性部材の前記基端は、前記中空剛性部材が前記伸長位置にある場合に前記容器の分前記配開口部と実質的に同じ平面にある、第１節に記載のシステム。
【０２０９】
第２７節  前記中空剛性部材の前記基端は、前記中空剛性部材が前記伸長位置にある場合に前記ハンドリング部の前記内側リングと実質的に同じ平面にある、第１節に記載のシステム。
【０２１０】
第２８節  前記中空剛性部材の前記上端を覆う取り外し可能な蓋をさらに備える、第１節に記載のシステム。
【０２１１】
第２９節  前記取り外し可能な蓋が、前記閉位置の前記取り外し可能な蓋と前記中空剛性部材との間にシールを形成するように前記中空剛性部材の前記上端に係合する封止フランジを備える、第２８節に記載のシステム。
【０２１２】
第３０節  材料容器であって、
分配開口部を含む容器と、
前記分配開口部の周りで前記容器に選択的に接続される、取り外し可能な分配システムであり、
前記容器の前記分配開口部の周りにハンドリング部を選択的に固定し、かつあるいは取り外すように構成された外側リング、および前記ハンドリング部内の円形開口を画定する内側リングを有する、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の前記上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合部材を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部、
遠位端が前記中空剛性部材から延在し、前記中空剛性部材の中に少なくとも部分的に収縮される、遠位端および遠位開口部、ならびに
前記近位開口部から前記遠位開口部まで延在する排出通路
を備え、
前記伸長可能な注ぎ口は、前記ハンドリング部が前記容器の前記分配開口部の周りに係合される場合に前記容器から前記遠位開口部を通して注入可能な材料を分配するように構成される、取り外し可能な分配システムと
を備える、材料容器。
【０２１３】
第３１節  容器のための分配システムであって、
前記分配システムを前記容器に永久的に取り付けるように前記容器の分配開口部の周りにハンドリング部を固定するように構成された外側リング、および前記ハンドリング部内の円形開口を画定する内側リングを備える、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の前記上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合要素を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部、
遠位端が前記中空剛性部材から延在し、前記中空剛性部材の中に少なくとも部分的に収縮するように構成される、遠位端および遠位開口部、ならびに
前記近位開口部から前記遠位開口部まで延在する排出通路
を備え、
前記ハンドリング部が前記容器の前記分配開口部の周りに係合される場合に前記容器から前記遠位開口部を通して注入可能な材料を分配するように構成される、伸長可能な注ぎ口と
を備える、分配システム。
【０２１４】
第３２節  前記第２の係合要素は、前記中空剛性部材が前記伸長位置にある場合に前記ハンドリング部の前記内側リングに係合し、前記中空剛性部材を前記ハンドリング部分に固定するために、前記基端に近接する前記中空剛性部材から外方に延在する第１の１つ以上の周辺要素を備える、第３１節に記載のシステム。
【０２１５】
第３３節  前記中空剛性部材が、前記ハンドリング部から離れる方向に前記上端を引っ張り、前記中空剛性部材を前記第１の１つ以上の周辺要素に係合するように摺動させることによって、前記入り込み位置から前記伸長位置まで選択的に位置決め可能である、第３２節に記載のシステム。
【０２１６】
第３４節  前記中空剛性部材が、前記ハンドリング部に向かう方向に前記上端に力を加え、前記中空剛性部材を前記第１の１つ以上の周辺要素との係合から外すように摺動させることによって前記伸長位置から前記入り込み位置まで選択的に位置決め可能である、第３３節に記載のシステム。
【０２１７】
第３５節  前記第１の係合要素が、前記ハンドリング部の前記内側リングに係合し、前記中空剛性部材が前記入り込み位置にある場合に前記中空剛性部材を前記ハンドリング部に固定するために前記上端に近接する前記中空剛性部材から外方に延在する第２の１つ以上の周辺要素を備える、第３２節に記載のシステム。
【０２１８】
第３６節  前記中空剛性部材が、前記ハンドリング部から離れる方向に前記上端を引っ張り、前記ハンドリング部の前記内側リングを前記第２の１つ以上の周辺要素から離脱させ、前記中空剛性部材を前記第１の１つ以上の周辺要素に係合するように摺動させることによって、前記入り込み位置から前記伸長位置まで選択的に位置決め可能である、第３５節に記載のシステム。
【０２１９】
第３７節  前記中空剛性部材が、前記ハンドリング部に向かう方向に前記上端に力を加え、前記中空剛性部材を前記第１の１つ以上の周辺要素との係合を外すように摺動させ、前記ハンドリング部の前記内側リングを前記第２の１つ以上の周辺要素に係合させることによって前記伸長位置から前記入り込み位置まで選択的に位置決め可能である、第３６節に記載のシステム。
【０２２０】
第３８節  前記第２の係合要素が、前記基端に近接する前記中空剛性部材から外向きに延在する第１のフランジと、前記基端に近接する前記中空剛性部材から外方に延在し、前記中空剛性部材の前記基端を前記ハンドリング部の前記内側リングに係合させ、スナップ締まり嵌めで前記中空剛性部材を前記伸長位置に保持するために前記第１のフランジから内方に間隔を置いて配置される第１の１つ以上のスナップ要素とを備える、第３１節に記載のシステム。
【０２２１】
第３９節  前記内側リングは、前記中空剛性部材が前記伸長位置にある場合に前記第１の１つ以上のスナップ要素に係合する１つ以上の凹状チャネルを備える、第３８節に記載のシステム。
【０２２２】
第４０節  前記第１の１つ以上のスナップ要素が、１つ以上の環状リングを備える、第３８節に記載のシステム。
【０２２３】
第４１節  前記第１の係合要素が、前記上端に近接する前記中空剛性部材から外方に延在する第２のフランジと、前記上端に近接する前記中空剛性部材から外方に延在し、前記中空剛性部材の前記上端を前記ハンドリング部の前記内側リングに係合させ、スナップ締まり嵌めで前記中空剛性部材を前記入り込み位置に保持するために前記第２のフランジから内方に間隔を置いて配置される第２の１つ以上のスナップ要素とを備える、第３８節に記載のシステム。
【０２２４】
第４２節  前記内側リングは、前記中空剛性部材が前記伸長位置にある場合には前記第１の１つ以上のスナップ要素と、および前記中空剛性部材が前記入り込み位置にある場合には前記第２の１つ以上のスナップ要素に係合する１つ以上の凹状チャネルを備える、第４１節に記載のシステム。
【０２２５】
第４３節  前記第１のフランジが、第２のフランジから内方に間隔を置いて配置される、第４１節に記載のシステム。
【０２２６】
第４４節  前記中空剛性部材が、前記上端に近接する前記中空剛性部材から外方に延在し、前記第２のフランジから間隔を置いて配置される第３のフランジをさらに備え、前記第２のフランジが、前記第１のフランジと前記第３のフランジとの間に配置される、第４１節に記載のシステム。
【０２２７】
第４５節  前記第２の１つ以上のスナップ要素が、１つ以上の環状リングを備える、第４１節に記載のシステム。
【０２２８】
第４６節  前記中空剛性部材が、内部環状壁と、前記第１のフランジに近接する１つ以上の内方に延在する要素とを有し、前記基端の内側におよび前記内部環状壁に対して環状インサートをさらに備え、前記環状インサートが、第４のフランジと、前記１つ以上の内方に延在する要素に係合し、前記環状インサートを前記基端に固定するための前記第１のフランジに近接する凹状チャネルとを備え、前記伸長可能な注ぎ口が、前記環状インサートに接続され、前記環状インサートから延在する、第３８節に記載のシステム。
【０２２９】
第４７節  前記環状インサートを前記中空剛性部材に固定するための固定要素をさらに備える、第４６節に記載のシステム。
【０２３０】
第４８節  前記ハンドリング部が、前記ハンドリング部を前記容器に保持するように前記容器の第２の１つ以上の結合要素に係合するための第１の１つ以上の結合要素をさらに備える、第３１節に記載のシステム。
【０２３１】
第４９節  前記外側リングの前記第１の１つ以上の結合要素が、第１の１つ以上の歯と、前記第１の１つ以上の歯に隣接して配置される第１の１つ以上の凹状チャネルとを備え、前記容器の前記第２の１つ以上の結合要素が、第２の１つ以上の歯と、前記第２の１つ以上の歯に隣接して配置される第２の１つ以上の凹状チャネルとを備え、その場合、前記第１の１つ以上の歯が、前記第２の１つ以上の凹状チャネルに係合するように構成され、前記第１の１つ以上の凹状チャネルが、前記第２の１つ以上の歯を受け入れるように構成される、第４８節に記載のシステム。
【０２３２】
第５０節  前記伸長可能な注ぎ口は、前記伸長可能な注ぎ口が収縮され、前記遠位端が前記中空剛性部材内に少なくとも部分的に配置される収縮した構成、および、あるいは前記伸長可能な注ぎ口が延在され、前記遠位端が前記中空剛性部材の外に延在する伸長構成で選択的に位置決め可能である、第３１節に記載のシステム。
【０２３３】
第５１節  前記中空剛性部材の前記上端を覆う取り外し可能な蓋をさらに備える、第３１節に記載のシステム。
【０２３４】
第５２節  前記取り外し可能な蓋が、閉位置の前記取り外し可能な蓋と前記中空剛性部材との間にシールを形成するように前記中空剛性部材の前記上端に係合する封止フランジを備える、第５１節に記載のシステム。
【０２３５】
第５３節  前記中空剛性部材が、内部環状壁を備え、その場合、前記封止フランジが、前記中空剛性部材の前記上端で前記内部環状壁に当接する、第５２節に記載のシステム。
【０２３６】
第５４節  前記伸長可能な注ぎ口の前記遠位端の外面から外方に延在するタブをさらに備える、第３１節に記載のシステム。
【０２３７】
第５５節  材料容器であって、
分配開口部を含む容器と、
前記分配開口部の周りで前記容器に永久的に接続される分配システムであり、
前記容器の前記分配開口部の周りに前記ハンドリング部を固定するように構成された外側リング、および前記ハンドリング部内の円形開口を画定する内側リングを備える、ハンドリング部と、
上端および基端を備える中空剛性部材であり、前記中空剛性部材が、前記円形開口内に摺動可能に配置され、前記上端が前記ハンドリング部に近接し、前記基端が前記ハンドリング部から離れるように前記容器に向かって延在する入り込み位置と、あるいは前記基端が前記ハンドリング部に近接し、前記上端が前記ハンドリング部および前記容器から離れるように延在する伸長位置との間で選択的に位置決め可能であり、前記上端が、前記ハンドリング部の前記内側リングの少なくとも一部に係合し、前記中空剛性部材が前記入り込み位置にある場合に前記中空剛性部材の前記上端が前記ハンドリング部を通して前記容器の中に移動することを防ぐための第１の係合要素を備え、前記基端が、前記ハンドリング部の前記内側リングの少なくとも一部に係合し、前記中空剛性部材が前記伸長位置にある場合に前記中空剛性部材を前記ハンドリング部に固定するための第２の係合部材を備える、中空剛性部材と、
前記中空剛性部材に少なくとも部分的に配置され、前記中空剛性部材に接続される伸長可能な注ぎ口であり、
近位端が前記中空剛性部材に接続される、近位端および近位開口部、
遠位端が前記中空剛性部材から延在し、前記中空剛性部材の中に少なくとも部分的に収縮される、遠位端および遠位開口部、ならびに
前記近位開口部から前記遠位開口部まで延在する排出通路
を備え、
前記伸長可能な注ぎ口は、前記ハンドリング部が前記容器の前記分配開口部の周りに係合される場合に前記容器から前記遠位開口部を通して注入可能な材料を分配するように構成される、分配システムと
を備える、材料容器。
【０２３８】
第５６節  前記ハンドリング部が、第１の１つ以上の結合要素をさらに備え、前記容器が、第２の１つ以上の結合要素を備え、前記第１の１つ以上の結合要素が、前記ハンドリング部を前記容器に保持するように前記容器の前記第２の１つ以上の結合要素に係合する、第５５節に記載の材料容器。
【０２３９】
第５７節  前記外側リングの前記第１の１つ以上の結合要素が、第１の１つ以上の歯と、前記第１の１つ以上の歯に隣接して配置される第１の１つ以上の凹状チャネルとを備え、前記容器の前記第２の１つ以上の結合要素が、第２の１つ以上の歯と、前記第２の１つ以上の歯に隣接して配置される第２の１つ以上の凹状チャネルとを備え、その場合、前記第１の１つ以上の歯が、前記第２の１つ以上の凹状チャネルに係合するように構成され、前記第１の１つ以上の凹状チャネルが、前記第２の１つ以上の歯を受け入れるように構成される、第５６節に記載の材料容器。
【０２４０】
上述のものは本開示の特定の実施形態のみに関連すること、ならびに、添付の特許請求の範囲およびその均等物によって定義される本開示の精神および範囲から逸脱することなく、本明細書において非常に多くの変更および改造が行われ得ることが明らかとなるはずである。
【図１】
2018508433.tif 000003
【図２】
2018508433.tif 000004
【図３】
2018508433.tif 000005
【図４】
2018508433.tif 000006
【図５】
2018508433.tif 000007
【図６】
2018508433.tif 000008
【図７】
2018508433.tif 000009
【図８】
2018508433.tif 000010
【図９】
2018508433.tif 000011
【図１０】
2018508433.tif 000012
【図１１】
2018508433.tif 000013
【図１２】
2018508433.tif 000014
【図１３】
2018508433.tif 000015
【図１４】
2018508433.tif 000016
【図１５】
2018508433.tif 000017
【図１６】
2018508433.tif 000018
【図１７】
2018508433.tif 000019
【図１８】
2018508433.tif 000020
【図１９】
2018508433.tif 000021
【図２０】
2018508433.tif 000022
【図２１】
2018508433.tif 000023
【図２２】
2018508433.tif 000024
【図２３】
2018508433.tif 000025
【図２４】
2018508433.tif 000026
【図２５】
2018508433.tif 000027
【図２６】
2018508433.tif 000028
【図２７】
2018508433.tif 000029
【図２８】
2018508433.tif 000030
【図２９】
2018508433.tif 000031
【図３０】
2018508433.tif 000032
【図３１】
2018508433.tif 000033
【図３２】
2018508433.tif 000034
【図３３】
2018508433.tif 000035
【図３４】
2018508433.tif 000036
【図３５】
2018508433.tif 000037
【図３６】
2018508433.tif 000038
【図３７】
2018508433.tif 000039
【図３８】
2018508433.tif 000040
【図３９】
2018508433.tif 000041
【図４０】
2018508433.tif 000042
【図４１】
2018508433.tif 000043
【図４２】
2018508433.tif 000044
【国際調査報告】
2018508433.tif 000045
2018508433.tif 000046